(57)【要約】  移動端末は、背面ハウジング、表示画面およびカメラを含む。背面ハウジングは、第１のシェルおよび第２のシェルを含む。第２のシェルは、表示画面に相対して摺動することが可能であり、第１の位置および第２の位置で停止させることができる。カメラは第２のシェルに配置され、カメラの光入射面の方向は表示画面の光入射面の方向と同じである。第１の位置では、第１のシェルが第２のシェルに接触し、表示画面を共同して支持し、背面ハウジングを開放された箱状形状にすることができ、カメラは移動端末内部に位置する。第２の位置では、カメラを移動端末から露出させることができる。
2021510972.tif 000002
【特許請求の範囲】
【請求項１】
移動端末であって、前記移動端末は、
第１のシェル（１２０）、軸受部および第２のシェル（１４０）を含む背面ハウジング（１００）であって、前記軸受部が前記第１のシェル（１２０）から延在し、前記軸受部および前記第１のシェル（１２０）が受入空間を協働して画定し、前記第２のシェル（１４０）は、前記軸受部に摺動可能に配置され、第１の位置および第２の位置となるように、前記第１のシェル（１２０）に相対して移動可能であり、前記第１の位置では、前記第２のシェル（１４０）が前記受入空間を満たし、平坦にして、前記軸受部を取り囲み、前記第２の位置では、前記第２のシェル（１４０）が移動することにより、前記軸受部の少なくとも一部を露出する背面ハウジングと、
前記第１のシェル（１２０）と接続されている表示画面（１５０）と、
前記第２のシェル（１４０）に配置されるカメラ（１７０）であって、前記第１の位置では前記カメラ（１７０）の光入射面がブロックされ、前記第２の位置では前記カメラ（１７０）の前記光入射面が露出するカメラ（１７０）と、を含むことを特徴とする移動端末。
【請求項２】
前記第１のシェル（１２０）が、底壁（１２５）ならびに前記底壁（１２５）の２つの対向する辺から延在する第１側周壁（１２１）および第２側周壁（１２２）と、前記受入空間で形成される端面（１０２）と、直線または曲線である、前記底壁（１２５）の外部表面と前記端面（１０２）の交差線とを含む、請求項１に記載の移動端末。
【請求項３】
前記軸受部が、前記底壁（１２５）と接続されている基材（１１５）を含み、前記基材（１１５）の厚さが、前記底壁（１２５）の厚さよりも小さい、請求項２に記載の移動端末。
【請求項４】
前記第２のシェル（１４０）が、底板（１４５）、ならびに前記底壁（１２５）と接続される第１側壁（１４１）、第２側壁（１４２）および端壁（１４３）を含み、前記第１側壁（１４１）および前記第２側壁が、前記底板（１４５）の２つの対向する辺に配置され、前記端壁（１４３）が、前記第１側壁（１４１）と前記第２側壁（１４２）との間に接続され、前記底板（１４５）の一端に位置し、前記カメラ（１７０）が前記端壁（１４３）に配置され、前記第２側壁（１４２）の外部表面が、前記第１側周壁（１２１）の外部表面と同一平面上にあり、前記第２側壁（１４２）の外部表面が、前記第２側周壁（１２２）の外部表面と同一平面上にあり、前記第１の位置では、前記端壁（１４３）が位置する端に対向する前記底板（１４５）のもう一端は、前記端面（１０２）に対して当接しており、前記第２の位置では、前記底板（１４５）の前記もう一端は、前記端面（１０２）から隔てられる、請求項２または３に記載の移動端末。
【請求項５】
前記第１側周壁（１２１）および前記第２側周壁（１２２）の末端辺が前記表示画面（１５０）と接続されており、前記第２のシェル（１４０）の前記第１側壁（１４１）および前記第２側壁（１４２）の末端辺が、前記第１側周壁（１２１）および前記第２側周壁（１２２）の末端辺と同一平面上にあり、前記第１の位置で前記表示画面（１５０）を共同して支持している、請求項４に記載の移動端末。
【請求項６】
前記第１のシェル（１２０）が、第３側周壁（１２３）を更に含み、前記第３側周壁（１２３）は、前記第１側周壁（１２１）と前記第２側周壁（１２２）との間に接続され、前記第１側周壁（１２１）、前記第２側周壁（１２２）および前記第３側周壁（１２３）の末端辺が、前記表示画面（１５０）と接続されており、前記第３側周壁（１２３）には接続口が設けられている、請求項４に記載の移動端末。
【請求項７】
前記第１のシェル（１２０）が、前記第１側周壁（１２１）と前記第２側周壁（１２２）との間に接続される第４側周壁を更に含み、前記第１側周壁（１２１）、前記第２側周壁（１２２）および前記第４側周壁の末端辺が、前記表示画面（１５０）と接続されており、前記第１の位置では、前記第２のシェル（１４０）の前記端壁（１４３）の外部表面は、前記第４側周壁の外部表面と同一平面上にあり、前記第２の位置では、前記第２のシェルの前記端壁（１４３）は、前記第４側周壁と整列しない、請求項４に記載の移動端末。
【請求項８】
前記第２のシェル（１４０）が、底板（１４５）、ならびに前記底板（１４５）と接続される側壁および端壁（１４３）を含み、前記カメラ（１７０）が前記側壁に配置され、前記側壁および前記第２側周壁（１２２）が互いに対向して配置されており、前記第１の位置では、前記側壁の外部表面は、前記第１側周壁（１２１）の前記外部表面と同一平面上にあり、前記第２の位置では、前記側壁は前記第１側周壁（１２１）と整列せず、前記カメラ（１７０）の前記光入射面を露出する、請求項２または３に記載の移動端末。
【請求項９】
前記底板（１４５）の前記外部表面に配置される別のカメラ（１７１）を更に含む、請求項４〜８のいずれか一項に記載の移動端末。
【請求項１０】
前記軸受部に配置された別のカメラ（１７１）を更に含み、前記第２のシェル（１４０）の前記底板（１４５）には貫通孔が設けられ、前記別のカメラ（１７１）が前記貫通孔から露出している、請求項４〜８のいずれか一項に記載の移動端末。
【請求項１１】
前記軸受部に配置された別のカメラ（１７１）を更に含み、前記第２のシェル（１４０）の前記底板（１４５）には貫通孔が設けられ、前記別のカメラ（１７１）が前記貫通孔から露出しており、前記貫通孔が、前記底板（１４５）の前記もう一端を貫通している、請求項４〜７のいずれか一項に記載の移動端末。
【請求項１２】
機能ボタン（１２７）を更に含み、前記機能ボタン（１２７）が前記第２のシェル（１４０）の前記第１側壁（１４１）および前記第２側壁（１４２）の少なくとも一方に配置される、請求項４〜７のいずれか一項に記載の移動端末。
【請求項１３】
モーター（１８０）を更に含み、前記モーター（１８０）の出力軸にはギア（１８１）が設けられ、かつ前記第２のシェル（１４０）にはラック（１４８）が設けられており、前記モーター（１８０）が動作することにより、前記第２のシェル（１４０）を前記第１のシェル（１２０）に相対して摺動するように駆動するといった方法で、前記ラック（１４８）および前記ギア（１８１）が協働する、請求項１〜１２のいずれか一項に記載の移動端末。
【請求項１４】
前記第２のシェル（１４０）には磁気片（１４９）が設けられ、前記第１のシェル（１２０）には電磁石（１２９）が設けられており、前記第２のシェル（１４０）が前記第１の位置と前記第２の位置との間で変位することが可能となるように、前記電磁石（１２９）の極性を変化させることによって、前記第２のシェル（１４０）の前記磁気片（１４９）に引力または斥力を生じさせる、請求項１〜１２のいずれか一項に記載の移動端末。
【請求項１５】
前記第１のシェル（１２０）に配置された歯車対（１８２）およびネジ棒（１８３）と、前記第２のシェル（１４０）と接続されている伝達棒（１８４）と、前記伝達棒（１８４）に配置された伝達ピン（１８５）とを更に含み、前記ネジ棒（１８３）には、前記伝達ピン（１８５）と協働する螺旋溝（１８７）が設けられており、前記歯車対（１８２）が前記ネジ棒（１８３）を回転状態に駆動し、その結果前記伝達ピン（１８５）が前記螺旋溝（１８７）に沿って移動し、これにより前記第２のシェル（１４０）が前記第１の位置と前記第２の位置との間で変位することができる、請求項１〜１２のいずれか一項に記載の移動端末。
【発明の詳細な説明】
【技術分野】
【０００１】
本開示は、移動端末の分野に関し、特に移動端末に関する。
【背景技術】
【０００２】
現在、スマートモバイルフォンなどの移動端末は、ビデオ通話および自撮りなどの機能を提供するために、フロントカメラを搭載している。フロントカメラは、移動端末のパネルの一部の空間を占有する必要があり、これにより、結果として移動端末のパネルに表示するための領域が相対的に減少する。従って、現在追求されている、高いスクリーン対ボディ比率を実現するのに不利益を被ることとなる。
【発明の概要】
【０００３】
本開示の実施形態は、高いスクリーン対ボディ比率を実現することが可能な移動端末を提供するものである。
【０００４】
移動端末は、背面ハウジング、表示画面およびカメラを含み得る。背面ハウジングは、第１のシェル、軸受部および第２のシェルを含む。軸受部は、第１のシェルから延在している。軸受部および第１のシェルは、受入空間を協働して画定している。第２のシェルは、軸受部に摺動可能に配置され、第１の位置および第２の位置となるように、第１のシェルに相対して移動可能になっている。第２のシェルは、第１の位置では受入空間を満たし、平坦にして、軸受部を取り囲み、第２の位置では第２のシェルが移動することにより軸受部の少なくとも一部が露出する。表示画面は第１のシェルと接続されている。カメラは第２のシェルに配置されている。第１の位置ではカメラの光入射面がブロックされ、第２の位置ではカメラの光入射面が露出する。
【０００５】
本開示の別の実施形態はまた、背面ハウジング、表示画面およびカメラを含み得る移動端末を提供する。背面ハウジングは、第１のシェル、軸受部および第２のシェルを含む。軸受部は第２のシェルから延在している。軸受部および第２のシェルは、受入空間を協働して画定している。第２のシェルは、軸受部を介して第１のシェルに対して摺動可能に配置され、第１の位置および第２の位置となるように、第１のシェルに相対して移動可能になっている。第１の位置では、第２のシェルが受入空間を満たし、平坦にして、軸受部を取り囲む。第２の位置では、第２のシェルが移動することにより、軸受部の少なくとも一部が露出する。表示画面は第１のシェルと接続されている。カメラは第２のシェルに配置されている。第１の位置ではカメラの光入射面がブロックされ、第２の位置ではカメラの光入射面が露出する。
【０００６】
本開示の更なる別の実施形態はまた、背面ハウジング、表示画面およびカメラを含む移動端末を提供するものであり、背面ハウジングは、第１のシェルおよび第２のシェルを含む。第１のシェルは表示画面と固定して接続されている。第２のシェルは、表示画面に相対して摺動することが可能であり、第１の位置および第２の位置で停止する。第２のシェルが第１の位置で停止する場合、第１のシェルは第２のシェルに接触して、表示画面を共同して支持し、背面ハウジングを開放された箱状形状にすることができる。第１のシェルは、底壁、ならびに底壁の３つの辺から延在する第１側周壁、第２側周壁、および第３側周壁を含む。第１側周壁および第２側周壁は、互いに対向して配置され、第３側周壁は、第１側周壁と第２側周壁との間に接続されている。第２のシェルは、底板、ならびに底板の３つの辺から延在する第１側壁、第２側壁および端壁を含む。第１側壁および第２側壁は、互いに対向して配置され、端壁は、第１側壁と第２側壁との間に接続されている。底壁の外部表面は、底板の外部表面と同一平面上にある。第１側周壁の外部表面は、第１側壁の外部表面と同一平面上にある。第２側周壁の外部表面は、第２側壁の外部表面と同一平面上にある。カメラは第２のシェルに配置されている。第２のシェルが第１の位置に摺動される場合、カメラは移動端末内部に位置する。第２のシェルが第２の位置に摺動される場合、カメラを移動端末から露出させることができ、カメラの光入射面の方向は、表示画面の光入射面の方向と同じである。
【０００７】
本移動端末によれば、カメラは、移動可能な第２のシェルに配置されており、表示画面を設定するための空間が占有されることがない。そのため、比較的高いスクリーン対ボディ比率を得ることができる。
【図面の簡単な説明】
【０００８】
【図１】本開示の第１の実施形態によって提供される移動端末の正面図を示す。
【図２】移動端末の背面ハウジングの第２のシェルが第１の位置にある、図１で示される移動端末の背面図を示す。
【図３】移動端末の背面ハウジングの第２のシェルが第２の位置にある、図１で示される移動端末の別の背面図を示す。
【図４】図３で示される移動端末の立体的な構造概略図を示す。
【図５】図４で示される移動端末の立体的な分解概略図を示す。
【図６】図３で示される移動端末の部分的な断面拡大概略図を示す。
【図７】図６のＶＩ−ＶＩ線に沿った部分的な断面概略図を示す。
【図８】第１の実施形態によって提供される移動端末における、第１のシェルおよび第２のシェルの様々な形状を示す。
【図９】第１の実施形態によって提供される移動端末における、第１のシェルおよび第２のシェルの様々な形状を示す。
【図１０】第１の実施形態によって提供される移動端末における、第１のシェルおよび第２のシェルの様々な形状を示す。
【図１１】第１の実施形態によって提供される移動端末における、第１のシェルおよび第２のシェルの様々な形状を示す。
【図１２】第１の実施形態によって提供される移動端末における、第１のシェルおよび第２のシェルの様々な形状を示す。
【図１３】第１の実施形態によって提供される移動端末における、第１のシェルおよび第２のシェルの様々な形状を示す。
【図１４】移動端末の第１のシェルおよび第２のシェルによって構成される、第１の形式の伝達機構を示す。
【図１５】移動端末の第１のシェルおよび第２のシェルによって構成される、第１の形式の伝達機構を示す。
【図１６】移動端末の第１のシェルおよび第２のシェルによって構成される、第２の形式の伝達機構を示す。
【図１７】移動端末の第１のシェルおよび第２のシェルによって構成される、第２の形式の伝達機構を示す。
【図１８】移動端末の第１のシェルおよび第２のシェルによって構成される、第３の形式の伝達機構を示す。
【図１９】移動端末の第１のシェルおよび第２のシェルによって構成される、第３の形式の伝達機構を示す。
【図２０】移動端末の第１のシェルおよび第２のシェルによって構成される、第４の形式の伝達機構を示す。
【図２１】移動端末の第１のシェルおよび第２のシェルによって構成される、第４の形式の伝達機構を示す。
【図２２】本開示の第２の実施形態によって提供される移動端末の立体的な構造概略図を示す。
【図２３】本開示の第３の実施形態によって提供される移動端末の立体的な分解概略図を示す。
【図２４】図２３で示される移動端末の、第２のシェルの別の変形構造概略図を示す。
【図２５】図２４で示される移動端末の、第２のシェルと対応する第１のシェルとが協働する後の端面図を示す。
【図２６】移動端末の背面ハウジングの第２のシェルが第１の位置にある、本開示の第４の実施形態によって提供される移動端末の部分的な背面概略図を示す。
【図２７】移動端末の背面ハウジングの第２のシェルが第２の位置にある、図２６で示される移動端末の別の背面図を示す。
【図２８】図２７で示される移動端末の別の変形構造概略図を示す。
【図２９】本開示の第５の実施形態によって提供される移動端末の立体的な構造概略図を示す。
【図３０】図２９で示される移動端末の部分的な正面概略図を示す。
【図３１】図２９で示される移動端末の部分的な背面概略図を示す。
【図３２】図２９で示される移動端末の第２のシェルを除いたその他の構造体の背面概略図を示す。
【図３３】図２９で示される移動端末の第２のシェルの立体的な構造概略図を示す。
【図３４】図２９で示される移動端末の部分的な背面断面概略図を示す。
【図３５】本開示の第６の実施形態によって提供される移動端末の立体的な構造概略図を示す。
【発明を実施するための形態】
【０００９】
通信端末（または「端末」と省略される）には、有線回路を介して（例えば公衆交換電話網（ＰＳＴＮ）、デジタル加入者線（ＤＳＬ）、デジタルケーブル、直接ケーブル接続および／もしくは別のデータ接続／ネットワークを介して）接続するように構成されるデバイス、ならびに／または（例えばセルラーネットワーク、無線ローカルエリアネットワーク（ＷＬＡＮ）、（デジタルビデオブロードキャスティング−ハンドヘルド（ＤＶＢ−Ｈ）ネットワーク、衛星ネットワーク、ＡＭ−ＦＭ放送送信機および／もしくは別の通信端末などのデジタルテレビジョンネットワーク）の無線インタフェースを介して通信シグナルを受信／送信するように構成されるデバイスが挙げられるが、これらに限定されるものではない。無線インタフェースを介して通信するように構成される通信端末は、「無線通信端末」、「無線端末」および／または「移動端末」と称され得る。本開示によって提供される移動端末の例としては、衛星またはセルラー電話、セルラー無線電話とデータ処理、ファクスとデータ通信機能とを組み合わせることが可能なパーソナル通信システム（ＰＣＳ）端末、無線電話、ポケットベル、インターネット／イントラネットアクセス、ウェブブラウザ、メモ帳、カレンダーおよび／もしくは全地球測位システム（ＧＰＳ）受信機を含み得る携帯情報端末（ＰＤＡ）、ならびに従来のラップトップ型および／もしくはパームトップ型受信機、または無線電話受信機を含むその他の電子デバイスが挙げられるが、これらに限定されるものではない。
【００１０】
本開示の実施形態は、背面ハウジング、表示画面およびカメラを含み得る移動端末を提供する。背面ハウジングは、第１のシェル、軸受部および第２のシェルを含む。軸受部は、第１のシェルから延在している。軸受部および第１のシェルは、受入空間を協働して画定している。第２のシェルは、軸受部に摺動可能に配置され、第１の位置および第２の位置となるように、第１のシェルに相対して移動可能になっている。第２のシェルは、第１の位置では受入空間を満たし、平坦にして、軸受部を取り囲み、第２の位置では第２のシェルが移動することにより軸受部の少なくとも一部が露出する。表示画面は第１のシェルと接続されている。カメラは第２のシェルに配置されている。第１の位置ではカメラの光入射面がブロックされ、第２の位置ではカメラの光入射面が露出する。
【００１１】
一実施形態では、第１のシェルは、底壁、ならびに底壁の２つの対向する辺から延在する第１側周壁および第２側周壁を含む。端面は受入空間で形成され、底壁の外部表面との端面の交差線は直線または曲線である。
【００１２】
一実施形態では、端面は、平坦な表面または湾曲した表面である。
【００１３】
一実施形態では、底壁の外部表面との端面の交差線は、第１側周壁に対して直角であるか、または第１側周壁に対して鋭角である。
【００１４】
一実施形態では、軸受部は基材を含む。基材は底壁と接続されている。基材の厚さは、底壁の厚さよりも小さい。
【００１５】
一実施形態では、軸受部は、互いに対向して配置される第１側板および第２側板を含む。基材は、第１側板と第２側板との間に接続されている。第１側板は、第１側周壁に接続されており、第１側板の厚さは第１側周壁の厚さよりも小さい。第２側板は、第２側周壁に接続されており、第２側板の厚さは第２側周壁の厚さよりも小さい。
【００１６】
一実施形態では、第２のシェルは、底板、ならびに底壁と接続される第１側壁、第２側壁、および端壁を含む。第１側壁および第２側壁は、底板の２つの対向する辺に配置されている。端壁は、第１側壁と第２側壁との間に接続されており、底板の一端に位置する。カメラは端壁に配置されている。第２側壁の外部表面は、第１側周壁の外部表面と同一平面上にある。第２側壁の外部表面は、第２側周壁の外部表面と同一平面上にある。第１の位置では、端壁が位置する端に対向する底板のもう一端は、端面に対して当接している。第２の位置では、底板の前記もう一端は、端面から隔てられる。
【００１７】
一実施形態では、第１側周壁および第２側周壁の末端辺は、表示画面と接続されている。第２のシェルの第１側壁および第２側壁の末端辺は、第１側周壁および第２側周壁の末端辺と同一平面上にあり、第１の位置で表示画面を共同して支持している。
【００１８】
一実施形態では、第１のシェルは、第３側周壁を更に含む。第３側周壁は、第１側周壁と第２側周壁との間に接続されている。第１側周壁、第２側周壁および第３側周壁の末端辺は、表示画面と接続されている。第３側周壁には、接続口が設けられている。
【００１９】
一実施形態では、第１のシェルは、第４側周壁を更に含む。第４側周壁は、第１側周壁と第２側周壁との間に接続されている。第１側周壁、第２側周壁、および第４側周壁の末端辺は、表示画面と接続されている。第１の位置では、第２のシェルの端壁の外部表面は、第４側周壁の外部表面と同一平面上にある。第２の位置では、第２のシェルの端壁は、第４側周壁と整列していない。
【００２０】
一実施形態では、第２のシェルの端壁には突出部が設けられている。カメラは突出部に配置されている。突出部に対応する隙間が、第１のシェルの第４側周壁に形成される。第１の位置では、突出部は隙間に受け入れられる。
【００２１】
一実施形態では、第２のシェルは、底板、ならびに底板と接続される側壁および端壁を含む。カメラは側壁に配置されている。側壁および第２側周壁は、互いに対向して配置されている。第１の位置では、側壁の外部表面は、第１側周壁の外部表面と同一平面上にある。第２の位置では、側壁は第１側周壁と整列せず、カメラの光入射面を露出する。
【００２２】
一実施形態では、第１側周壁および第２側周壁の末端辺は、表示画面と接続されている。第２のシェルの側壁および端壁の末端辺は、第１側周壁および第２側周壁の末端辺と同一平面上にあり、第１の位置で表示画面を共同して支持している。
【００２３】
一実施形態では、第１のシェルは、第４側周壁を更に含む。第４側周壁は、第１側周壁と第２側周壁との間に接続されている。第１側周壁、第２側周壁、および第４側周壁の末端辺は、表示画面と接続されている。第２のシェルの端壁の外部表面は、第４側周壁の外部表面と同一平面上にある。
【００２４】
一実施形態では、移動端末は底板の外部表面に配置される別のカメラを更に含む。
【００２５】
一実施形態では、移動端末は軸受部に配置される別のカメラを更に含む。貫通孔が第２のシェルの底板に形成される。前記別のカメラは、貫通孔から露出する。
【００２６】
一実施形態では、貫通孔の延在部分の長さは、第２のシェルの第１の位置から第２の位置までの変位の距離以上である。
【００２７】
一実施形態では、移動端末は軸受部に配置される別のカメラを更に含む。貫通孔が第２のシェルの底板に形成される。前記別のカメラは、貫通孔から露出する。貫通孔は、底板の他端を貫通している。
【００２８】
一実施形態では、移動端末は機能ボタンを更に含む。機能ボタンは、第２のシェルの第１側壁または第２側壁の少なくとも一方に配置される。
【００２９】
一実施形態では、移動端末は、赤外レンズ、投光誘導要素、距離センサ、環境光センサ、拡声器、マイクロフォンおよびドットプロジェクタから選択される少なくとも１つの要素を更に含む。少なくとも１つの要素は、第２のシェルに配置される。
【００３０】
一実施形態では、互いに協働する摺動レールおよびシュートが、軸受部と第２のシェルとの間に設置されている。
【００３１】
一実施形態では、第２のシェルには挟持溝が設けられている。弾性片および突出しピンが、軸受部に配置されている。弾性片は、軸受部と突出しピンとの間に弾性的に置かれている。第２のシェルが第１の位置と第２の位置との間で変位するとき、突出しピンは、挟持溝の中に、または挟持溝の外へと摺動することができる。
【００３２】
本開示の別の実施形態はまた、背面ハウジング、表示画面およびカメラを含み得る移動端末を提供する。背面ハウジングは、第１のシェル、軸受部および第２のシェルを含む。軸受部は第２のシェルから延在している。軸受部および第２のシェルは、受入空間を協働して画定している。第２のシェルは、軸受部を介して第１のシェルに対して摺動可能に配置され、第１の位置および第２の位置となるように、第１のシェルに相対して移動可能になっている。第１の位置では、第２のシェルが受入空間を満たし、平坦にして、軸受部を取り囲む。第２の位置では、第２のシェルが移動することにより、軸受部の少なくとも一部が露出する。表示画面は第１のシェルと接続されている。カメラは第２のシェルに配置されている。第１の位置ではカメラの光入射面がブロックされ、第２の位置ではカメラの光入射面が露出する。
【００３３】
本開示の更なる別の実施形態はまた、背面ハウジング、表示画面およびカメラを含む移動端末を提供するものであり、背面ハウジングは、第１のシェルおよび第２のシェルを含む。第１のシェルは表示画面と固定して接続されている。第２のシェルは、表示画面に相対して摺動することが可能であり、第１の位置および第２の位置で停止する。第２のシェルが第１の位置で停止する場合、第１のシェルは第２のシェルに接触して、表示画面を共同して支持し、背面ハウジングを開放された箱状形状にすることができる。第１のシェルは、底壁、ならびに底壁の３つの辺から延在する第１側周壁、第２側周壁、および第３側周壁を含む。第１側周壁および第２側周壁は、互いに対向して配置され、第３側周壁は、第１側周壁と第２側周壁との間に接続されている。第２のシェルは、底板、ならびに底板の３つの辺から延在する第１側壁、第２側壁および端壁を含む。第１側壁および第２側壁は、互いに対向して配置され、端壁は、第１側壁と第２側壁との間に接続されている。底壁の外部表面は、底板の外部表面と同一平面上にある。第１側周壁の外部表面は、第１側壁の外部表面と同一平面上にある。第２側周壁の外部表面は、第２側壁の外部表面と同一平面上にある。
【００３４】
カメラは第２のシェルに配置されている。第２のシェルが第１の位置に摺動される場合、カメラは移動端末内部に位置する。第２のシェルが第２の位置に摺動される場合、カメラを移動端末から露出させることができ、カメラの光入射面の方向は、表示画面の光入射面の方向と同じである。
【００３５】
一実施形態では、移動端末はモーターを更に含む。モーターの出力軸には、ギアが設けられている。第２のシェルには、ラックが設けられている。モーターが動作することにより、第２のシェルを第１のシェルに相対して摺動するように駆動するといった方法で、ラックおよびギアが協働する。
【００３６】
一実施形態では、第２のシェルには磁気片が設けられており、第１のシェルには電磁石が設けられている。第２のシェルが第１の位置と第２の位置との間で変位することが可能となるように、電磁石の極性を変化させることによって、第２のシェルの磁気片に引力または斥力が生じる。
【００３７】
一実施形態では、移動端末は摺動ブロック、プルロッドおよび弾性片を更に含む。摺動ブロックは第２のシェルに配置され、第１のシェルと滑り嵌め状態にある。摺動ブロックには、ハート形に類似した形状の溝が設けられている。ハート形に類似した形状の溝には、ロック位置および解放位置がある。プルロッドの一端は第１のシェルに枢着されており、プルロッドのもう一端はハート形に類似した形状の溝内で移動可能に配置されている。弾性片は、第１のシェルと摺動ブロックとの間で圧縮して配置されている。プルロッドの前記もう一端は、弾性片によってもたらされる弾性力によって、ロック位置または解放位置で停止することができる。プルロッドの前記もう一端がロック位置で停止する場合、第２のシェルは第１の位置にある。プルロッドの前記もう一端が解放位置で停止する場合、第２のシェルは第２の位置にある。
【００３８】
一実施形態では、移動端末は、第１のシェルに配置されている歯車対およびネジ棒、第２のシェルと接続されている伝達棒、および伝達棒に配置されている伝達ピンを更に含む。ネジ棒には、伝達ピンと協働する螺旋溝が設けられている。歯車対はネジ棒を回転状態に駆動し、その結果伝達ピンが螺旋溝に沿って移動し、これにより第２のシェルが第１の位置と第２の位置との間で変位する。
【００３９】
一実施形態では、第２のシェルが第１の位置にある場合、第１のシェルの底壁と第２のシェルの底板との間のスリットは、直線型かまたは曲線型である。
【００４０】
一実施形態では、第２のシェルが第１の位置にある場合、第１のシェルの底壁と第２のシェルの底板との間のスリットは、Ｖ字形断面を含む。Ｖ字形断面の開口部は、第２のシェルの方向を向いている。
【００４１】
一実施形態では、第１側周壁および第３側周壁、第２側周壁および第３側周壁、第１側壁および端壁、または第２側壁および端壁が、円弧状の移行部を介して接続されている。
【００４２】
一実施形態では、移動端末は、赤外レンズ、投光誘導要素、距離センサ、環境光センサ、拡声器、マイクロフォンおよびドットプロジェクタから選択される少なくとも１つの要素を更に含む。少なくとも１つの要素は、第２のシェルに配置される。第２のシェルが第１の位置にある場合、少なくとも１つの要素は移動端末内部に位置する。第２のシェルが第２の位置に摺動される場合、少なくとも１つの要素を移動端末から露出させることができる。
【００４３】
一実施形態では、移動端末は別のカメラを更に含む。前記別のカメラは第２のシェルに配置されており、移動端末のメインボードと通信可能に接続される。
【００４４】
一実施形態では、移動端末は別のカメラを更に含む。前記別のカメラは第１のシェルに配置されており、フレキシブル回路基板を介して移動端末のメインボードと通信可能に接続される。
【００４５】
図１〜図５に示されるように、本開示の第１の実施形態は、特に一例として、スマートモバイルフォンで移動端末を説明している。移動端末は、背面ハウジング１００、表示画面１５０およびカメラ１７０（図４および図５で示される）を含む。表示画面１５０は、背面ハウジング１００に固定して接続されている。背面ハウジング１００は、互いに相対して摺動可能に配置される、第１のシェル１２０および第２のシェル１４０を含む。第２のシェル１４０は、第１のシェル１２０に相対して摺動することが可能であり、第１の位置および第２の位置をとる。本明細書において、図１および図２に示される第２のシェル１４０は第１の位置にあり、図３および図４に示される第２のシェル１４０は第２の位置にある。カメラ１７０は、第２のシェル１４０に配置されており、カメラ１７０の光入射面の方向は、表示画面１５０の光入射面の方向と同じである。
【００４６】
図１で示されるように、第２のシェル１４０が第１の位置にある場合、カメラ１７０は移動端末内部でブロックされる。その結果、表示画面１５０に表示される情報をユーザが見るときには、カメラ１７０が見えなくなる可能性があり、外部光線がカメラ１７０の光入射面に入射することができない。図４で示されるように、第２のシェル１４０が第２の位置にある場合、第２のシェル１４０を駆動することを受けて、カメラ１７０の光入射面は移動端末から露出し、移動端末のその他の構成要素によってブロックされなくなる。このとき、カメラ１７０はユーザによって確認することができ、また、外部光線がカメラ１７０の光入射面を介してカメラ１７０に入射することができる。従って、カメラ１７０はフロントカメラとして使用してもよく、カメラ１７０を使用することにより、撮影機能およびビデオ通話などの機能が実行される。
【００４７】
図５で示されるように、第１のシェル１２０は、底壁１２５、ならびに底壁１２５の３つの辺から延在する第１側周壁１２１、第２側周壁１２２、および第３側周壁１２３を含む。第１側周壁１２１および第２側周壁１２２は、互いに対向して配置され、第３側周壁１２３は、第１側周壁１２１と第２側周壁１２２との間に接続されている。第１側周壁１２１、第２側周壁１２２および第３側周壁１２３の末端辺は同一平面上にあり、表示画面１５０と固定して接続されるように構成されている。表示画面１５０は、プラスチック小片を介して第１のシェル１２０と接続されていてもよく、また、接着剤などのその他の様式で第１のシェル１２０に固定して接続されていてもよい。移動端末が使用される場合のプロセスでは、表示画面１５０と第１のシェル１２０との相対位置は変化しない。第３側周壁１２３には、接続口１２６が設けられている。接続口１２６は、外部デバイスと接続するように構成されていてもよい。外部デバイスは、例えば、電源デバイス、ヘッドセットなどであってよい。第１側周壁１２１および／または第２側周壁１２２に機能ボタン１２７が配置されている。機能ボタン１２７は、音量調整キー、電源キーなどであってよい。
【００４８】
第２のシェル１４０は、底板１４５、ならびに底板１４５の３つの辺から延在する第１側壁１４１、第２側壁１４２および端壁１４３を含む。第１側壁１４１、第２側壁１４２および端壁１４３の末端辺は、同一平面上にある。第１側壁１４１および第２側壁１４２は、互いに対向して配置され、端壁１４３は、第１側壁１４１と第２側壁１４２との間に接続されている。端壁１４３は、底板１４５の一端の辺に配置されている。端壁１４３が位置する端に対向する底板１４５のもう一端は、第１のシェル１２０の方向を向いている。カメラ１７０は端壁１４３に配置されている。第２のシェル１４０は、第１のシェル１２０に相対して摺動可能に配置される。第２のシェル１４０が第１の位置と第２の位置との間で変位すると、第２のシェル１４０と表示画面１５０との相対位置が変化し、結果としてカメラ１７０は移動端末内に覆い隠されるか、または移動端末から露出する。いくつかの実施形態では、移動端末は、赤外レンズ、投光誘導要素、距離センサ、環境光センサ、拡声器、マイクロフォンおよびドットプロジェクタから選択される少なくとも１つの機能要素１７２を更に含む。機能要素１７２はまた、第２のシェル１４０に配置される。具体的には、図５で示されるように、機能要素１７２は第２のシェル１４０の端壁１４３にカメラ１７０と共に配置される。複数の機能要素１７２が設けられている場合、複数の機能要素１７２は、カメラ１７０と直線的に配置されていてもよい。機能要素１７２はまた、第２のシェル１４０と共に第１の位置と第２の位置との間で変位し、これにより移動端末内に覆い隠されるか、または移動端末から露出する。
【００４９】
カメラ１７０および機能要素１７２は、フレキシブル回路基板などのデバイスを介して、移動端末のメインボード１９０（図７）と通信可能に接続されていてもよい。図２および図３で示されるように、一実施形態では、移動端末は第２のシェル１４０に配置される別のカメラ１７１を更に含む。特定の実施形態では、前記別のカメラ１７１は、第２のシェル１４０の底板１４５の外部表面に配置されており、前記別のカメラ１７１の光入射面の方向は、表示画面１５０の光入射面の方向とは異なっている。具体的には、前記別のカメラ１７１の光入射面は、カメラ１７０の光入射面に対向して配置され、前記別のカメラ１７１は、リアカメラとして使用してもよい。他のいくつかの実施形態では、図１１で示されるように、前記別のカメラ１７１は第１のシェル１２０にも配置されてもよい。具体的には、前記別のカメラ１７１は、第１のシェル１２０の底壁１２５に配置されてもよく、フレキシブル回路基板を介して移動端末のメインボード１９０と通信可能に接続される。
【００５０】
第１のシェル１２０および第２のシェル１４０は、略塵取り形状である。第２のシェル１４０が第１の位置にある場合、第１のシェル１２０および第２のシェル１４０は接触し、共同して開放された箱状構造を形成する。本明細書において、第１のシェル１２０の底壁１２５の外部表面は、第２のシェル１４０の底板１４５の外部表面と同一平面上にあり、第１のシェル１２０の第１側周壁１２１の外部表面は、第２のシェル１４０の第１側壁１４１の外部表面と同一平面上にあり、および第１のシェル１２０の第２側周壁１２２の外部表面は、第２のシェル１４０の第２側壁１４２の外部表面と同一平面上にある。その結果、背面ハウジング１００の外観の一体性がより高められる。第１側周壁１２１、第２側周壁１２２、および第３側周壁１２３の末端辺、ならびに第１側壁１４１、第２側壁１４２および端壁１４３の末端辺はすべて、同一水平面上に位置し、表示画面１７０を共同して支持するために使用される。
【００５１】
図２で示されるように、第１のシェル１２０および第２のシェル１４０が接触するとき、それらの間にスリット１０１が形成されるということが理解され得る。異なる機械加工精度に起因して、スリット１０１の寸法は異なっていてもよい。スリット１０１の幅は、一般に０．５ｍｍ以内に制御される。更に、幅は０．１ｍｍ以内である。また更に、機械加工精度および組立精度のため、スリット１０１の幅は、数ミクロンまたは何十ミクロンであってよい。
【００５２】
第２のシェル１４０が第２の位置に移動する場合、図３、図４および図６で示されるように、スリット１０１の幅が大きくなる。このとき、第２のシェル１４０の端壁１４３の少なくとも一部が露出し、その結果、端壁１４３に配置されたカメラ１７０が移動端末内部から移動端末外部に移動する。このようにして、カメラ１７０の撮影およびビューファインディング機能を正常に実行することができる。
【００５３】
一実施形態では、図４および図５で示されるように、背面ハウジング１００は、第１のシェル１２０から延在する軸受部１１０を更に含む。軸受部１１０および第１のシェル１２０は、受入空間を協働して画定している。軸受部１１０の厚さは、第１のシェル１２０の厚さよりも小さく、その結果、軸受部１１０の外部表面と第１のシェル１２０の外部表面との間に受入空間が画定される。第２のシェル１４０は、軸受部１１０を介して第１のシェル１２０と摺動可能に配置される。例えば、軸受部１１０と第２のシェル１４０との間に、互いに協働する摺動レールおよびシュートを形成してもよい。図６および図７で示されるように、一実施形態では、シュート１１６が軸受部１１０の外部表面に形成され、対応する摺動レール１４６が第２のシェル１４０の内部表面に形成される。第２のシェル１４０は、シュート１１６に沿って第１の位置と第２の位置との間で変位することができる。第１の位置では、第２のシェル１４０が受入空間を満たし、平坦にして、第２のシェル１４０が軸受部１１０を取り囲む。図２で示されるように、第２のシェル１４０は受入空間を満たし、平坦にするが、これは第２のシェル１４０と第１のシェル１２０とが接触するものとして特に示され、第１のシェル１２０および第２のシェル１４０は、共同して開放された箱状構造を形成し、表示画面１５０を共同して支持する。第２のシェル１４０は軸受部１１０を取り囲むが、これは、第２のシェル１４０が、少なくとも２つの平面において互いに傾斜して軸受部１１０を覆うということを理解されたい。図５で示されるように、第２のシェル１４０は、底板１４５、ならびに底板１４５の３つの辺から延在する第１側壁１４１、第２側壁１４２および端壁１４３により、軸受部１１０の４つの異なる方向を取り囲み、続いて、表示画面１５０および第１のシェル１２０によって、軸受部１１０に対して完全な周囲構造体を形成する。その結果、第２のシェル１４０が第１の位置にある場合は、軸受部１１０は移動端末内部で完全にブロックされ、ユーザは軸受部１１０を確認することができない。
【００５４】
第１の位置と第２の位置との間における第２のシェル１４０の変位は、完全に手作業で実行してもよい。更に、第２のシェル１４０と軸受部１１０との間に、停止構造体および制限構造体を形成してもよい。停止構造体によって、第２のシェル１４０は、定位置に移動した後に接触感覚を促す機能を提供し、第２のシェル１４０が所定の位置に到達したことをユーザに通知するようにしている。第２のシェル１４０が制限位置に到達した後、制限構造体は、第２のシェル１４０が連続的に移動することを制限することができる。その結果、第２のシェル１４０が第１のシェル１２０から隔てられることを防止し、移動端末が損傷を受けることが防止される。図６は、停止構造体を示す。第２のシェル１４０には、挟持溝１４７が設けられている。弾性片１１８および突出しピン１１７が、軸受部１１０に配置されている。弾性片１１８は、軸受部１１０と突出しピン１１７との間に弾性的に置かれている。第２のシェル１４０が第１の位置と第２の位置との間で変位するとき、突出しピン１１７は、挟持溝１４７の中に、または挟持溝１４７の外へと摺動することができる。より具体的には、第２のシェル１４０の第１側壁１４１の内部表面に挟持溝１４７を形成してもよい。軸受部１１０の外部表面に突出しピン１１７および弾性片１１８を配置してもよい。一実施形態では、軸受部１１０の外部表面に端ぐり穴１１９を直接形成し、突出しピン１１７および弾性片１１８を端ぐり穴１１９で受けるようにしてもよい。別の任意の実施形態では、突出しピン１１７および弾性片１１８は、軸受部１１０の内部表面と接続された固定ブロックによって更に保持されていてもよい。そのような状況の下では、突出しピン１１７を外に貫通するように貫通孔が軸受部１１０に形成される。
【００５５】
軸受部１１０の内部表面は、移動端末のメインボード１９０などの要素を配置するように、第１のシェル１２０の内部表面と同一平面上にあってよい。メインボード１９０は、フレキシブル回路基板などのデバイスを介して、表示画面１５０、カメラ１７０、前記別のカメラ１７１および機能要素１７２と通信可能に接続されていてもよい。
【００５６】
一実施形態では、図６および図７で示されるように、軸受部１１０は、基材１１５、ならびに互いに対向して配置される第１側板１１１および第２側板１１２を含む。基材１１５は、第１側板１１１と第２側板１１２との間に接続されている。基材１１５は、第１のシェル１２０の底壁１２５の一端に接続され、基材１１５の厚さは底壁１２５の厚さよりも小さい。第１側板１１１は、第１のシェル１２０の第１側周壁１２１に接続されており、第１側板１１１の厚さは第１側周壁１２１の厚さよりも小さい。第２側板１１２は、第１のシェル１２０の第２側周壁１２２に接続されており、第２側板１１２の厚さは第２側周壁１２２の厚さよりも小さい。軸受部１１０は、第１のシェル１２０と一体成形されていてもよい。第１のシェル１２０と軸受部１１０との間の厚さの違いにより、上記の受入空間が画定される。第１のシェル１２０および軸受部１１０によって画定される受入空間において、端面１０２が形成される。底板１４５の一端は、端壁１４３に配置され、底板１４５のもう一端は、端面１０２の方向を向いている。第１の位置では、底板１４５の前記もう一端は、端面１０２に対して当接している。第２の位置では、底板１４５の前記もう一端は、端面１０２から隔てられる。図５で示されるように、底板１４５の前記もう一端は、平坦な表面であり、そのため、対応する端面１０２も平坦な表面である。その他の実施形態では、端面１０２は、第２のシェル１４０に対して突出した、凸状に湾曲した表面であってよく、また、第２のシェル１４０に対向して窪んだ、凹状に湾曲した表面であってもよい。それに応じて、底板１４５の形状も端面１０２と一致しており、その結果、第２のシェル１４０と第１のシェル１２０との間に形成されるスリット１０１のそれぞれの箇所は、幅が一定となる。
【００５７】
図６で示されるように、第１のシェル１２０の底壁１２５の外部表面との端面１０２の交差線１０３は直線である。そのような状況の下では、第１のシェル１２０の底壁１２５と第２のシェル１４５の底板１４０との間のスリット１０１は、直線型である。底壁１２５の外部表面との端面１０２の交差線１０３は、第１側周壁１２１に対して鋭角であってよく、それに応じて、交差線１０３は、第２側周壁１２２に対して鈍角である。これに対して、交差線１０３は第１側周壁１２１に対して鈍角であってよく、それに応じて、交差線１０３は第２側周壁１２２に対して鋭角である。図８で示されるように、交差線１０３はまた、第１側周壁１２１に対して直角であってもよい。
【００５８】
図９〜図１３で示されるように、第１のシェル１２０の底壁１２５の外部表面との端面１０２の交差線１０３はまた、曲線であってもよく、その結果、第１のシェル１２０の底壁１２５と第２のシェル１４０の底板１４５との間のスリット１０１は、曲線型となる。いくつかの実施形態では、底壁１２５の外部表面との端面１０２の交差線１０３は、互いに傾斜している少なくとも２本の直線を含む。図９で示されるように、交差線１０３がＶ字形状となるように、交差線１０３は互いに傾斜している２本の直線を有する。それに応じて、底壁１２５と底板１４５との間のスリット１０１も、Ｖ字形断面を有する。Ｖ字形断面のスリット１０１の開口部は、第２のシェル１４０の方向を向いている。図１０および図１１で示されるように、交差線１０３は連続して接続されている４本の直線であり、その２本の隣接線は、交差線１０３がＷ字形状となるように、互いに傾斜している。それに応じて、底壁１２５と底板１４５との間のスリット１０１も、Ｗ字形断面を有する。図１２で示されるように、交差線１０３は、略Ｃ字形状である。それに応じて、底壁１２５と底板１４５との間のスリット１０１も、Ｃ字形断面を有する。図１３で示されるように、交差線１０３は、複数の円弧断面を有するＳ字形状である。それに応じて、底壁１２５と底板１４５との間のスリット１０１も、Ｓ字形断面を有する。
【００５９】
図１〜図５で示される実施形態では、第１のシェル１２０の第１側周壁１２１および第３側周壁１２３、第２側周壁１２２および第３側周壁１２３、ならびに、第２のシェル１４０の第１側壁１４１および端壁１４３、ならびに第２側壁１４２および端壁１４３は、直角に接続した状態にある。その他の実施形態では、図１０〜図１３で示されるように、第１のシェル１２０のそれぞれの側周壁、または第２のシェル１４０のそれぞれの側壁および端壁は、円弧状の移行部を介して接続されていてもよい。
【００６０】
上記の実施形態における軸受部１１０は、第１のシェル１２０から延在している。その他の実施形態では、軸受部１１０はまた、第２のシェル１４０から延在していてもよい。すなわち、軸受部１１０の基材１１５は、第２のシェル１４０の底板１４５と接続される。軸受部１１０の第１側板１１１は、第２のシェル１４０の第１側壁１４１に接続され、軸受部１１０の第２側板１１２は、第２のシェル１４０の第２側壁１４２に接続される。軸受部１１０が形成される位置が変位するため、第２のシェル１４０および軸受部１１０が、それに応じて受入空間を画定する。端面が受入空間で形成され、この端面が第２のシェル１４０の外部表面と交差して、交差線を形成する。第２のシェル１４０が第１の位置にある場合、第１のシェル１２０の底壁１２５の一端の辺は、端面に対して当接し、第１のシェル１２０は受入空間を満たし、平坦にして、軸受部１１０を取り囲む。第２のシェル１４０が第２位置にある場合、第１のシェル１２０の底壁１２５の一端の辺は端面から隔てられ、その結果、軸受部１１０の少なくとも一部が露出する。その他の設定は、軸受部１１０が形成される位置の変化により、それに応じて変更してもよい。しかしながら、軸受部１１０が形成される位置の変化に影響を受けない設定は、上記の実施形態と同様であり、ここでは繰り返さない。
【００６１】
第１の位置と第２の位置との間における第２のシェル１４０の変位は、完全に手作業を介して実行してもよく、更に、補助的な伝達機構によって実行してもよい。図１４〜図２１は、異なる形式の伝達機構を示すものであり、ここで、図１４〜図１５は、第１の形式の伝達構造を示し、図１６〜図１７は、第２の形式の伝達構造を示し、図１８〜図１９は、第３の形式の伝達構造を示し、図２０〜図２１は、第４の形式の伝達構造を示している。異なる実施形態では、移動端末は、第１のシェル１２０に相対して第２のシェル１４０が移動することを実現するために、必要に応じて異なる伝達機構を選択してもよい。
【００６２】
図１４および図１５で示されるように、移動端末は、摺動ブロック１６０、プルロッド１６５および弾性片１６７を更に含む。摺動ブロック１６０は、第２のシェル１４０に配置されている。摺動ブロック１６０は第２のシェル１４０と共に移動することができ、摺動ブロック１６０および第２のシェル１４０では、それらの間で相対的な移動を生じない。摺動ブロック１６０は、第１のシェル１２０と滑り嵌め状態にある。例えば、摺動ブロック１６０の一端が第１のシェル１２０の方向に延在して、摺動棒を形成してもよい。対応する摺動孔は、第１のシェル１２０に形成される。摺動棒は摺動孔と協働して、第１のシェル１２０に相対して摺動するように摺動ブロック１６０を案内することができる。
【００６３】
摺動ブロック１６０には、ハート形に類似した形状の溝１６１が設けられている。ハート形に類似した形状の溝１６１には、ロック位置１６２および解放位置１６３がある。本明細書において、解放位置１６３は、ハート形に類似した形状の溝１６１の端部、第１のシェル１２０の最も近傍に位置し、ロック位置１６２は、第１のシェル１２０から離れ、ハート形に類似した形状の溝１６１の輪郭の窪んだ箇所に位置する。ハート形に類似した形状の溝１６１には更に、ロック位置１６２の２つの側面にそれぞれ位置し、ハート形に類似した形状の溝１６１の中で第１のシェル１２０に最も遠い位置となる、２つの制限位置１６４が設けられている。
【００６４】
プルロッド１６５の一端は、第１のシェル１２０に枢着されている。例えば、第１のシェル１２０の底壁１２５の内部表面などの、第１のシェル１２０の対応する位置で、協働する孔を形成してもよく、プルロッド１６５の一端が、この協働する孔に回転可能に接合されていてもよい。プルロッド１６５のもう一端は、ハート形に類似した形状の溝１６１内で移動可能に配置されている。本明細書において図１４で示されるように、プルロッド１６５の前記もう一端が解放位置１６３で停止する場合、第２のシェル１４０は第２の位置にある。本明細書において図１５で示されるように、プルロッド１６５の前記もう一端がロック位置１６２で停止する場合、第２のシェル１４０は第１の位置にある。
【００６５】
弾性片１６７は、第１のシェル１２０と摺動ブロック１６０との間で圧縮して配置されている。弾性片１６７によってもたらされる弾性力により、摺動ブロック１６０（すなわち、第２のシェル１４０）には、第１のシェル１２０から離れて移動するという傾向がある。プルロッド１６５の前記もう一端は、ハート形に類似した形状の溝１６１と協働するため、プルロッド１６５の牽引力は、弾性片１６７の弾性力との均衡を形成し得る。介入する外力がない場合は、プルロッド１６５は、ロック位置１６２または解放位置１６３で停止し得る。すなわち、第２のシェル１４０は、第１の位置または第２位置で停止する。図１４の第２の位置から図１５の第１の位置に第２のシェル１４０を変位する必要がある場合、第２のシェル１４０が第１のシェル１２０へと移動するように、ユーザが第２のシェル１４０を押し、弾性片１６７によってもたらされる弾性力を克服してもよい。このプロセスの間、対応するプルロッド１６５の端部は、解放位置１６３から移動して、ハート形に類似した形状の溝１６１の制限位置１６４を通ってロック位置１６２まで通過する。図１５の第１の位置から図１４の第２の位置に第２のシェル１４０を変位する必要がある場合、プルロッド１６５の対応する端部がロック位置１６２から離れるのを妨げるように、ユーザが第２のシェル１４０を押してもよい。制限位置１６４を通過した後、ユーザは再度外力を加える必要はない。第２のシェル１４０は、弾性片１６７によってもたらされる弾性力によって第２の位置に到達することができる。すなわち、弾性片１６７の弾性力の作用の下で、プルロッド１６５が制限位置１６４からロック位置１６２に到達することができる。
【００６６】
第１の位置にある第２のシェル１４０を押すことによって生じた妨げは限定的なものであるため、第２のシェル１４０の移動方向に沿った制限位置１６４とロック位置１６２との間の距離が大きすぎてはならず、あるいはそうでない場合、プルロッド１６５の対応する端部がうまくロック位置１６２から離れることができず、制限位置１６４を乗り越えることができない。そのような状況からみて、いくつかの実施形態では、摺動ブロック１６０および第２のシェル１４０は、相対的に動くことができるように更に構成されていてもよく、対応するボタンが第２のシェル１４０に配置される。ボタンは、第２のシェル１４０から露出する。ボタンを押すことによって、摺動ブロック１６０は十分な距離を移動することができ、これにより、対応するプルロッド１６５の端部がロック位置１６２から移動して、制限位置１６４を乗り越え、第１の位置と第２の位置との間における第２のシェル１４０のスムーズな変位が保証される。
【００６７】
いくつかの実施形態では、ハート形に類似した形状の溝１６１の底部に、特定の方向に沿って段差を更に形成し、プルロッド１６５がハート形に類似した形状の溝１６１内で所与の方向だけに沿って移動することができ、段差を越えて移動して、逆方向に移動することができないようにしてもよい。
【００６８】
図１６および図１７で示されるように、一実施形態では、移動端末はモーター１８０を更に含む。モーター１８０は、第１のシェル１２０に固定されていてもよい。モーター１８０はまた、その他の要素によって第１のシェル１２０と固定して接続されていてもよく、例えば、軸受部１１０に配置されていてもよい。モーター１８０の出力軸には、ギア１８１が設けられている。第２のシェル１４０には、ラック１４８が設けられている。モーター１８０が動作することにより、第２のシェル１４０を第１のシェル１２０に相対して摺動するように駆動するといった方法で、ラック１４８およびギア１８１が協働する。ラック１４８は、第２のシェル１４０の特定の側壁に配置してもよく、また第２のシェル１４０の底板１４５にも配置してもよいが、これはモーター１８０の固定位置およびモーター１８０の出力軸の方向によって決定することができる。回路基板を通じて、メインボード１９０をモーター１８０と通信可能に接続してもよく、第２のシェル１４０が第１の位置と第２の位置との間で変位するように、モーター１８０の操作時間および操作方向を制御してもよい。
【００６９】
図１８および図１９で示されるように、一実施形態では、第２のシェル１４０には磁気片１４９が設けられている。磁気片１４９は、様々な形式の磁石であってよく、第１のシェル１２０に対する極性は固定されており、可変ではない。第１のシェル１２０には、電磁石１２９が設けられている。第１のシェル１２０に対する電磁石１２９の極性は可変である。例えば、メインボード１９０が電磁石１２９の電流の向きを変えることができることによって、電磁石１２９の極性を変えてもよい。電磁石１２９はそれに応じて磁気片１４９と共に配置され、電磁石１２９の異なる極性により、磁気片１４０に引力または斥力が生じる。その結果、第２のシェル１４０を、第１のシェル１２０に対して相対運動を生じるように駆動することができる。これにより、第２のシェル１４０が第１の位置と第２の位置との間で変位する。
【００７０】
図２０および図２１で示されるように、一実施形態では、移動端末は歯車対１８２、ネジ棒１８３、伝達棒１８４および伝達ピン１８５を更に含む。歯車対１８２およびネジ棒１８３は、第１のシェル１２０に配置されており、歯車対１８２の回転によってネジ棒１８３を回転状態に駆動することができる。ネジ棒１８３には、螺旋溝１８７が設けられている。歯車対１８２は、モーターなどの駆動片１８６によって駆動してもよい。歯車対１８２は、必要とされる伝達率に見合うことを前提として、占有スペースを減らすように二段または多段ギア伝達機構によって形成されていてもよい。伝達棒１８４は、第２のシェル１４０と接続されている。伝達ピン１８５は、伝達棒１８４に配置されている。伝達ピン１８５はネジ棒１８３の螺旋溝１８７と協働する。歯車対１８２が回転すると、ネジ棒１８３を回転状態に駆動することができ、螺旋溝１８７に埋め込まれた伝達ピン１８５が、螺旋溝１８７に沿って移動するように駆動される。その結果、第２のシェル１４０が、第１のシェル１２０に相対して移動することができる。歯車対１８２の回転方向を制御することによって、第２のシェル１４０は、第１の位置と第２の位置との間で変位することができる。伝達棒１８４を中空構造体となるように構成し、フレキシブル回路基板１８８を通過するようにして、続いてこのフレキシブル回路基板１８８が第２のシェル１４０のカメラ１７０、１７１と第１のシェル１２０のメインボード１９０とを導通することができるようにしてもよい。
【００７１】
図２２は、本開示の第２の実施形態によって提供される移動端末を示す。上記の実施形態の移動端末と、この移動端末の違いは、機能ボタン１２７が第２のシェル１４０に配置され得るということにある。例えば、機能ボタン１２７は、第２のシェル１４０の第１側壁１４１に配置され、また、第２のシェル１４０の第２側壁１４２に配置され得るか、または第１側壁１４１および第２側壁１４２に同時に配置される。
【００７２】
図２３は、本開示の第３の実施形態によって提供される移動端末を示す。移動端末はまた、背面ハウジング、表示画面３５０およびカメラ３７０を含む。背面ハウジングは、互いに相対して摺動可能に配置される、第１のシェル３２０および第２のシェル３４０を含む。第２のシェル３４０は、底板３４５、ならびに底板３４５の３つの辺から延在する第１側壁３４１、第２側壁３４２および端壁３４３を含む。第１側壁３４１、第２側壁３４２および端壁３４３の末端辺は、同一平面上にある。第１側壁３４１および第２側壁３４２は、互いに対向して配置され、端壁３４３は、第１側壁３４１と第２側壁３４２との間に接続されている。端壁３４３は、底板３４５の一端の辺に配置されている。端壁３４３が位置する端に対向する底板３４５のもう一端は、第１のシェル３２０の方向を向いている。カメラ３７０は端壁３４３に配置されている。第１のシェル３２０は、底壁３２５、ならびに底壁３２５の３つの辺から延在する第１側周壁３２１、第２側周壁３２２、および第３側周壁３２３を含む。第１側周壁３２１および第２側周壁３２２は、互いに対向して配置され、第３側周壁３２３は、第１側周壁３２１と第２側周壁３２２との間に接続されている。第１のシェル３２０が、第４側周壁３２４を更に含むということが異なっている。第４側周壁３２４は、第１側周壁３２１と第２側周壁３２２との間に接続されている。第１側周壁３２１、第２側周壁３２２、第３側周壁３２３および第４側周壁３２４の末端辺は同一平面上にあり、かつ同一水平面上に位置し、同時に表示画面３５０と接続されている。
【００７３】
第１の位置では、第２のシェル３４０の端壁３４３の外部表面は、第１のシェル３２０の第４側周壁３２４の外部表面と同一平面上にある。第２の位置では、第２のシェル３４０の端壁３４３の外部表面は、第４側周壁３２４の外部表面と整列しない。
【００７４】
更に、図２４で示されるように、第２のシェル３４０の端壁３４３に、突出部３４６を更に配置してもよい。突出部３４６は、端壁３４３の表面から相対的に突出している。カメラ３７０は端壁３４６に配置されている。図２５で示されるように、突出部３４６に対応する隙間３２６が、第１のシェル３２０の第４側周壁３２４に形成される。第１の位置では、突出部３４６は隙間３２６に受け入れられる。
【００７５】
第３の実施形態によって提供される移動端末において言及されていないその他の特徴は、第１の実施形態および第２の実施形態と同様であり得るために、繰り返さない。
【００７６】
図２６および図２７は、本開示の第４の実施形態によって提供される移動端末を示す。移動端末は、第１の実施形態によって提供される移動端末と略同様である。リアカメラとして使用されるカメラ４７１が第１の実施形態のように第２のシェル４４０と共に移動せず、しかしながら第１のシェル４２０に配置され、第１のシェル４２０と固定して接続されており、第２のシェル４４０の移動プロセスでは位置を変更しないということが異なっている。例えば、カメラ４７１は軸受部４１０に固定されていてもよい。第２のシェル４４０の底板４４５には貫通孔４４９が設けられており、カメラ４７１を貫通孔４４９から露出させている。
【００７７】
貫通孔４４９は第２のシェル４４０の移動方向に沿って延在し、その延在部分の長さは、第２のシェル４４０の、第１の位置から第２の位置までの変位の距離以上である。
【００７８】
図２８で示されるように、貫通孔４４９は更に、第１のシェル４２０により近い底板４４５の一端を貫通していてもよい。
【００７９】
図２９〜図３４は、本開示の第５の実施形態によって提供される移動端末である。図２９および図３０で示されるように、移動端末は、背面ハウジング５００、表示画面５５０およびカメラ５７０を含む。背面ハウジング５００は、互いに相対して摺動可能に配置される、第１のシェル５２０および第２のシェル５４０を含む。第２のシェル５４０は、第１のシェル５２０に相対して摺動することが可能であり、第１の位置および第２の位置をとる。本明細書において、図２９で示される第２のシェル５４０は、第２の位置にある。カメラ５７０は、第２のシェル５４０に配置されており、カメラ５７０の光入射面の方向は、表示画面５５０の光入射面の方向と同じである。第２のシェル５４０が第２の位置にある場合、カメラ５７０の光入射面は、移動端末から露出している。このとき、カメラ５７０はユーザによって確認することが可能であり、また、外部光線がカメラ５７０の光入射面を介してカメラ５７０に入射することができる。従って、カメラ５７０はフロントカメラとして使用してもよく、撮影機能およびビデオ通話などの機能は、カメラ５７０を使用することにより実行される。第２のシェル５４０が第１の位置にある場合、カメラ５７０は移動端末内部でブロックされる。その結果、表示画面５５０に表示される情報をユーザが見るときには、カメラ５７０が見えなくなる可能性があり、外部光線がカメラ５７０の光入射面に入射することができない。
【００８０】
図２９で示されるように、第１のシェル５２０は、底壁５２５、ならびに底壁５２５の３つの辺から延在する第１側周壁５２１、第２側周壁５２２、および第３側周壁５２３を含む。第１側周壁５２１および第２側周壁５２２は、互いに対向して配置され、第３側周壁５２３は、第１側周壁５２１と第２側周壁５２２との間に接続されている。第１側周壁５２１、第２側周壁５２２および第３側周壁５２３の末端辺は同一平面上にあり、表示画面５５０と固定して接続されるように構成されている。
【００８１】
図３３で示されるように、第２のシェル５４０は、底板５４５、ならびに底板５４５の２つの隣接する辺から延在する側壁５４１、端壁５４３を含む。端壁５４３は、底板５４５の一端の辺に配置されている。端壁５４３が位置する端に対向する底板５４５のもう一端は、第１のシェル５２０の第３側周壁５２３の方向を向いている。カメラ５７０は側壁５４１に配置されている。側壁５４１および第２側周壁５２２は、互いに対向して配置されている。第１側周壁５２１、第２側周壁５２２、側壁５４１および端壁５４３の末端辺は同一平面上にあり、第１の位置で表示画面５５０を共同して支持している。
【００８２】
第２のシェル５４０が第１の位置で停止するとき、第１側周壁５２１の外部表面は、側壁５４１の外部表面と同一平面上にある。第１のシェル５２０および第２のシェル５４０は、開放された箱状形状をしており、表示画面５５０を共同して支持する。カメラ５７０は移動端末のその他の構成要素によってブロックされ、移動端末内に覆い隠される。
【００８３】
図２９および図３０で示されるように、第２のシェル５４０が第２の位置で停止するとき、側壁５４１は第１側周壁５２１と整列せず、カメラ５７０が第２のシェル５４０と共に移動して、第１側周壁５２１が位置する側面より、移動端末から露出する。図３３で示されるように、移動端末は、赤外レンズ、投光誘導要素、距離センサ、環境光センサ、拡声器、マイクロフォンおよびドットプロジェクタから選択される少なくとも１つの機能要素５７２を更に含む。機能要素５７２はまた、第２のシェル５４０の側壁５４１に配置される。機能要素５７２はまた、第２のシェル５４０と共に第１の位置と第２の位置との間で変位し、これにより移動端末内に覆い隠されるか、または移動端末から露出する。２つ以上の機能要素５７２が設けられる場合、機能要素５７２およびカメラ５７０は、マトリックス配置などの非線形配置にある。
【００８４】
図３１および図３２で示されるように、背面ハウジング５００は、第１のシェル５２０から延在する軸受部５１０を更に含む。軸受部５１０および第１のシェル５２０は、受入空間を協働して画定している。軸受部５１０の厚さは、第１のシェル５２０の厚さよりも小さく、その結果、軸受部５１０の外部表面と第１のシェル５２０の外部表面との間に受入空間が画定される。第１のシェル５２０および軸受部５１０によって画定される受入空間において、端面５０２が形成される。底壁５２５の外部表面との端面５０２の交差線５０３は直線である。端面５０２は、平坦な表面であっても、または湾曲した表面であってもよい。湾曲した表面である場合、端面５０２は、第２のシェル５４０に対して凸状に延伸した、凸状に湾曲した表面であってもよく、または逆方向に窪んだ、凹状に湾曲した表面であってもよい。
【００８５】
第２のシェル５４０は、軸受部５１０に摺動可能に配置され、端面５０２に平行な方向に沿って移動することができる。第１の位置では、第２のシェル５４０が受入空間を満たし、平坦にして、第２のシェル５４０が軸受部５１０を取り囲む。第２の位置では、第２のシェル５４０は、移動することによって軸受部５１０の少なくとも一部を露出する。第１の位置にあるのか、または第２の位置にあるのかに関係なく、底板５４５の対向する他端は、端面５０２の少なくとも一部に対して当接する。
【００８６】
図３２で示されるように、軸受部５１０は、基材５１５、および基材５１５の一辺から延在する側板５１１を含む。基材５１５の他辺は、第２側周壁５２２と接続されている。側板５１１と第１側周壁５１２との間に特定の空間が設けられ、その結果、第２のシェル５４０は、第１の位置で第２のシェル５４０の側壁５４１を保持するように構成される。
【００８７】
図３４で示されるように、移動端末は別のカメラ５７１を更に含む。前記別のカメラは第１のシェル５２０に配置され、例えば、第１のシェル５２０から延在する軸受部５１０に配置される。第２のシェル５４０の底板５４５には貫通孔５４９が設けられており、前記別のカメラ５７１を外部に露出するようにしている。前記別のカメラ５７１の光入射面の方向は、表示画面５５０の光入射面の方向とは異なっている。前記別のカメラ５７１は第２のシェル５４０と共には移動しない。前記別のカメラ５７１は、リアカメラとして使用することができる。貫通孔５４９の延在部分の方向は、端面５０２に対して平行である。
【００８８】
図３４で示されるように、移動端末はモーター５８０を更に含む。モーター５８０は、第１のシェル５２０に固定されていてもよく、例えば、第１のシェル５２０の底壁５２５に固定されている。モーター５８０の出力軸には、ギア５８１が設けられている。第２のシェル５４０には、ラック５４８が設けられている。例えば、ラック５４８は底板５４５に配置されていてもよい。モーター５８０が作動することにより、第２のシェル５４０を第１のシェル５２０に相対して摺動するように駆動するといった方法で、ラック５４８およびギア５８１が協働する。モーター５８０の駆動様式が、その他の実施形態の駆動様式と同様であり得るということは理解されよう。その他の実施形態において言及され、本実施形態において言及されない特徴は、その他の形式の伝達機構などの、本実施形態において言及される特徴と矛盾がない限り、本実施形態に適用してもよく、簡単な説明に関してここでは繰り返さない。
【００８９】
図３５は、本開示の第６の実施形態によって提供される移動端末を示す。移動端末はまた、背面ハウジング、表示画面６５０およびカメラ６７０を含む。背面ハウジングは、互いに相対して摺動可能に配置される、第１のシェル６２０および第２のシェル６４０を含む。
【００９０】
第１のシェル６２０は、底壁６２５、ならびに底壁６２５の３つの辺から延在する第１側周壁６２１、第２側周壁６２２、および第３側周壁６２３を含む。第１側周壁６２１および第２側周壁６２２は、互いに対向して配置され、第３側周壁６２３は、第１側周壁６２１と第２側周壁６２２との間に接続されている。
【００９１】
第２のシェル６４０は、底板６４５、ならびに底板６４５の２つの隣接する辺から延在する側壁６４１、端壁６４３を含む。端壁６４３は、底板６４５の一端の辺に配置されている。端壁６４３が位置する端に対向する底板６４５のもう一端は、第１のシェル６２０の第３側周壁６２３の方向を向いている。カメラ６７０は側壁６４１に配置されている。側壁６４１および第２側周壁６２２は、互いに対向して配置されている。
【００９２】
第５の実施形態の移動端末との違いは、第１のシェル６２０が第４側周壁６２４を更に含むということにある。第４側周壁６２４は、第１側周壁６２１と第２側周壁６２２との間に接続されている。第１側周壁６２１、第２側周壁６２２、第３側周壁６２３および第４側周壁６２４の末端辺は同一平面上にあり、かつ同一水平面上に位置し、同時に表示画面６５０と接続されている。
【００９３】
第２のシェル６４０の端壁６４３の外部表面は、第１のシェル６２０の第４側周壁６２４の外部表面と同一平面上にある。
【００９４】
第６の実施形態によって提供される移動端末において言及されていないその他の特徴は、第５の実施形態と同様であり得るために、繰り返さない。
【００９５】
上記実施形態のそれぞれの技術的特徴は、自由に組み合わせてもよい。簡潔に記載するために、上記実施形態のそれぞれの技術的な特徴に関するすべての可能な組み合わせは記載していない。しかしながら、技術的特徴の組み合わせの中に不一致がない限りは、すべてが本明細書によって記録される範囲であると見なされるべきである。
【００９６】
上記の実施形態は、本開示のいくつかの実現方法を表現しているに過ぎず、明細書は具体的かつ詳細なものではあるものの、本開示の範囲に限定するものとして理解することはできない。当業者は、本開示の概念を逸脱することなく、更にいくつかの変更および改良を行うことが可能であり、すべてが本開示の保護の範囲に付随するということに留意されたい。従って、本開示の保護の範囲は、添付の特許請求の範囲に従うものとする。
【図１】
2021510972.tif 000003
【図２】
2021510972.tif 000004
【図３】
2021510972.tif 000005
【図４】
2021510972.tif 000006
【図５】
2021510972.tif 000007
【図６】
2021510972.tif 000008
【図７】
2021510972.tif 000009
【図８】
2021510972.tif 000010
【図９】
2021510972.tif 000011
【図１０】
2021510972.tif 000012
【図１１】
2021510972.tif 000013
【図１２】
2021510972.tif 000014
【図１３】
2021510972.tif 000015
【図１４】
2021510972.tif 000016
【図１５】
2021510972.tif 000017
【図１６】
2021510972.tif 000018
【図１７】
2021510972.tif 000019
【図１８】
2021510972.tif 000020
【図１９】
2021510972.tif 000021
【図２０】
2021510972.tif 000022
【図２１】
2021510972.tif 000023
【図２２】
2021510972.tif 000024
【図２３】
2021510972.tif 000025
【図２４】
2021510972.tif 000026
【図２５】
2021510972.tif 000027
【図２６】
2021510972.tif 000028
【図２７】
2021510972.tif 000029
【図２８】
2021510972.tif 000030
【図２９】
2021510972.tif 000031
【図３０】
2021510972.tif 000032
【図３１】
2021510972.tif 000033
【図３２】
2021510972.tif 000034
【図３３】
2021510972.tif 000035
【図３４】
2021510972.tif 000036
【図３５】
2021510972.tif 000037
【手続補正書】
【提出日】令和2年7月14日(2020.7.14)
【手続補正１】
【補正対象書類名】明細書
【補正対象項目名】全文
【補正方法】変更
【補正の内容】
【発明の詳細な説明】
【技術分野】
【０００１】
本開示は、移動端末の分野に関し、特に移動端末に関する。
【背景技術】
【０００２】
現在、スマートモバイルフォンなどの移動端末は、ビデオ通話および自撮りなどの機能を提供するために、フロントカメラを搭載している。フロントカメラは、移動端末のパネルの一部の空間を占有する必要があり、これにより、結果として移動端末のパネルに表示するための領域が相対的に減少する。従って、現在追求されている、高いスクリーン対ボディ比率を実現するのに不利益を被ることとなる。
【発明の概要】
【０００３】
本開示の実施形態は、高いスクリーン対ボディ比率を実現することが可能な移動端末を提供するものである。
【０００４】
移動端末は、背面ハウジング、表示画面およびカメラを含み得る。背面ハウジングは、第１のシェル、軸受部および第２のシェルを含む。軸受部は、第１のシェルから延在している。軸受部および第１のシェルは、受入空間を協働して画定している。第２のシェルは、軸受部に摺動可能に配置され、第１の位置および第２の位置となるように、第１のシェルに相対して移動可能になっている。第２のシェルは、第１の位置では受入空間を満たし、平坦にして、軸受部を取り囲み、第２の位置では第２のシェルが移動することにより軸受部の少なくとも一部が露出する。表示画面は第１のシェルと接続されている。カメラは第２のシェルに配置されている。第１の位置ではカメラの光入射面がブロックされ、第２の位置ではカメラの光入射面が露出する。
【０００５】
本開示の別の実施形態はまた、背面ハウジング、表示画面およびカメラを含み得る移動端末を提供する。背面ハウジングは、第１のシェル、軸受部および第２のシェルを含む。軸受部は第２のシェルから延在している。軸受部および第２のシェルは、受入空間を協働して画定している。第２のシェルは、軸受部を介して第１のシェルに対して摺動可能に配置され、第１の位置および第２の位置となるように、第１のシェルに相対して移動可能になっている。第１の位置では、第２のシェルが受入空間を満たし、平坦にして、軸受部を取り囲む。第２の位置では、第２のシェルが移動することにより、軸受部の少なくとも一部が露出する。表示画面は第１のシェルと接続されている。カメラは第２のシェルに配置されている。第１の位置ではカメラの光入射面がブロックされ、第２の位置ではカメラの光入射面が露出する。
【０００６】
本開示の更なる別の実施形態はまた、背面ハウジング、表示画面およびカメラを含む移動端末を提供するものであり、背面ハウジングは、第１のシェルおよび第２のシェルを含む。第１のシェルは表示画面と固定して接続されている。第２のシェルは、表示画面に相対して摺動することが可能であり、第１の位置および第２の位置で停止する。第２のシェルが第１の位置で停止する場合、第１のシェルは第２のシェルに接触して、表示画面を共同して支持し、背面ハウジングを開放された箱状形状にすることができる。第１のシェルは、底壁、ならびに底壁の３つの辺から延在する第１側周壁、第２側周壁、および第３側周壁を含む。第１側周壁および第２側周壁は、互いに対向して配置され、第３側周壁は、第１側周壁と第２側周壁との間に接続されている。第２のシェルは、底板、ならびに底板の３つの辺から延在する第１側壁、第２側壁および端壁を含む。第１側壁および第２側壁は、互いに対向して配置され、端壁は、第１側壁と第２側壁との間に接続されている。底壁の外部表面は、底板の外部表面と同一平面上にある。第１側周壁の外部表面は、第１側壁の外部表面と同一平面上にある。第２側周壁の外部表面は、第２側壁の外部表面と同一平面上にある。カメラは第２のシェルに配置されている。第２のシェルが第１の位置に摺動される場合、カメラは移動端末内部に位置する。第２のシェルが第２の位置に摺動される場合、カメラを移動端末から露出させることができ、カメラの光入射面の方向は、表示画面の光入射面の方向と同じである。
【０００７】
本移動端末によれば、カメラは、移動可能な第２のシェルに配置されており、表示画面を設定するための空間が占有されることがない。そのため、比較的高いスクリーン対ボディ比率を得ることができる。
【図面の簡単な説明】
【０００８】
【図１】本開示の第１の実施形態によって提供される移動端末の正面図を示す。
【図２】移動端末の背面ハウジングの第２のシェルが第１の位置にある、図１で示される移動端末の背面図を示す。
【図３】移動端末の背面ハウジングの第２のシェルが第２の位置にある、図１で示される移動端末の別の背面図を示す。
【図４】図３で示される移動端末の立体的な構造概略図を示す。
【図５】図４で示される移動端末の立体的な分解概略図を示す。
【図６】図３で示される移動端末の部分的な断面拡大概略図を示す。
【図７】図６のＶＩ−ＶＩ線に沿った部分的な断面概略図を示す。
【図８】第１の実施形態によって提供される移動端末における、第１のシェルおよび第２のシェルの様々な形状を示す。
【図９】第１の実施形態によって提供される移動端末における、第１のシェルおよび第２のシェルの様々な形状を示す。
【図１０】第１の実施形態によって提供される移動端末における、第１のシェルおよび第２のシェルの様々な形状を示す。
【図１１】第１の実施形態によって提供される移動端末における、第１のシェルおよび第２のシェルの様々な形状を示す。
【図１２】第１の実施形態によって提供される移動端末における、第１のシェルおよび第２のシェルの様々な形状を示す。
【図１３】第１の実施形態によって提供される移動端末における、第１のシェルおよび第２のシェルの様々な形状を示す。
【図１４】移動端末の第１のシェルおよび第２のシェルによって構成される、第１の形式の伝達機構を示す。
【図１５】移動端末の第１のシェルおよび第２のシェルによって構成される、第１の形式の伝達機構を示す。
【図１６】移動端末の第１のシェルおよび第２のシェルによって構成される、第２の形式の伝達機構を示す。
【図１７】移動端末の第１のシェルおよび第２のシェルによって構成される、第２の形式の伝達機構を示す。
【図１８】移動端末の第１のシェルおよび第２のシェルによって構成される、第３の形式の伝達機構を示す。
【図１９】移動端末の第１のシェルおよび第２のシェルによって構成される、第３の形式の伝達機構を示す。
【図２０】移動端末の第１のシェルおよび第２のシェルによって構成される、第４の形式の伝達機構を示す。
【図２１】移動端末の第１のシェルおよび第２のシェルによって構成される、第４の形式の伝達機構を示す。
【図２２】本開示の第２の実施形態によって提供される移動端末の立体的な構造概略図を示す。
【図２３】本開示の第３の実施形態によって提供される移動端末の立体的な分解概略図を示す。
【図２４】図２３で示される移動端末の、第２のシェルの別の変形構造概略図を示す。
【図２５】図２４で示される移動端末の、第２のシェルと対応する第１のシェルとが協働する後の端面図を示す。
【図２６】移動端末の背面ハウジングの第２のシェルが第１の位置にある、本開示の第４の実施形態によって提供される移動端末の部分的な背面概略図を示す。
【図２７】移動端末の背面ハウジングの第２のシェルが第２の位置にある、図２６で示される移動端末の別の背面図を示す。
【図２８】図２７で示される移動端末の別の変形構造概略図を示す。
【図２９】本開示の第５の実施形態によって提供される移動端末の立体的な構造概略図を示す。
【図３０】図２９で示される移動端末の部分的な正面概略図を示す。
【図３１】図２９で示される移動端末の部分的な背面概略図を示す。
【図３２】図２９で示される移動端末の第２のシェルを除いたその他の構造体の背面概略図を示す。
【図３３】図２９で示される移動端末の第２のシェルの立体的な構造概略図を示す。
【図３４】図２９で示される移動端末の部分的な背面断面概略図を示す。
【図３５】本開示の第６の実施形態によって提供される移動端末の立体的な構造概略図を示す。
【発明を実施するための形態】
【０００９】
通信端末（または「端末」と省略される）には、有線回路を介して（例えば公衆交換電話網（ＰＳＴＮ）、デジタル加入者線（ＤＳＬ）、デジタルケーブル、直接ケーブル接続および／もしくは別のデータ接続／ネットワークを介して）接続するように構成されるデバイス、ならびに／または（例えばセルラーネットワーク、無線ローカルエリアネットワーク（ＷＬＡＮ）、（デジタルビデオブロードキャスティング−ハンドヘルド（ＤＶＢ−Ｈ）ネットワーク、衛星ネットワーク、ＡＭ−ＦＭ放送送信機および／もしくは別の通信端末などのデジタルテレビジョンネットワーク）の無線インタフェースを介して通信シグナルを受信／送信するように構成されるデバイスが挙げられるが、これらに限定されるものではない。無線インタフェースを介して通信するように構成される通信端末は、「無線通信端末」、「無線端末」および／または「移動端末」と称され得る。本開示によって提供される移動端末の例としては、衛星またはセルラー電話、セルラー無線電話とデータ処理、ファクスとデータ通信機能とを組み合わせることが可能なパーソナル通信システム（ＰＣＳ）端末、無線電話、ポケットベル、インターネット／イントラネットアクセス、ウェブブラウザ、メモ帳、カレンダーおよび／もしくは全地球測位システム（ＧＰＳ）受信機を含み得る携帯情報端末（ＰＤＡ）、ならびに従来のラップトップ型および／もしくはパームトップ型受信機、または無線電話受信機を含むその他の電子デバイスが挙げられるが、これらに限定されるものではない。
【００１０】
本開示の実施形態は、背面ハウジング、表示画面およびカメラを含み得る移動端末を提供する。背面ハウジングは、第１のシェル、軸受部および第２のシェルを含む。軸受部は、第１のシェルから延在している。軸受部および第１のシェルは、受入空間を協働して画定している。第２のシェルは、軸受部に摺動可能に配置され、第１の位置および第２の位置となるように、第１のシェルに相対して移動可能になっている。第２のシェルは、第１の位置では受入空間を満たし、平坦にして、軸受部を取り囲み、第２の位置では第２のシェルが移動することにより軸受部の少なくとも一部が露出する。表示画面は第１のシェルと接続されている。カメラは第２のシェルに配置されている。第１の位置ではカメラの光入射面がブロックされ、第２の位置ではカメラの光入射面が露出する。
【００１１】
一実施形態では、第１のシェルは、底壁、ならびに底壁の２つの対向する辺から延在する第１側周壁および第２側周壁を含む。端面は受入空間で形成され、底壁の外部表面との端面の交差線は直線または曲線である。
【００１２】
一実施形態では、端面は、平坦な表面または湾曲した表面である。
【００１３】
一実施形態では、底壁の外部表面との端面の交差線は、第１側周壁に対して直角であるか、または第１側周壁に対して鋭角である。
【００１４】
一実施形態では、軸受部は基材を含む。基材は底壁と接続されている。基材の厚さは、底壁の厚さよりも小さい。
【００１５】
一実施形態では、軸受部は、互いに対向して配置される第１側板および第２側板を含む。基材は、第１側板と第２側板との間に接続されている。第１側板は、第１側周壁に接続されており、第１側板の厚さは第１側周壁の厚さよりも小さい。第２側板は、第２側周壁に接続されており、第２側板の厚さは第２側周壁の厚さよりも小さい。
【００１６】
一実施形態では、第２のシェルは、底板、ならびに底壁と接続される第１側壁、第２側壁、および端壁を含む。第１側壁および第２側壁は、底板の２つの対向する辺に配置されている。端壁は、第１側壁と第２側壁との間に接続されており、底板の一端に位置する。カメラは端壁に配置されている。第１側壁の外部表面は、第１側周壁の外部表面と同一平面上にある。第２側壁の外部表面は、第２側周壁の外部表面と同一平面上にある。第１の位置では、端壁が位置する端に対向する底板のもう一端は、端面に対して当接している。第２の位置では、底板の前記もう一端は、端面から隔てられる。
【００１７】
一実施形態では、第１側周壁および第２側周壁の末端辺は、表示画面と接続されている。第２のシェルの第１側壁および第２側壁の末端辺は、第１側周壁および第２側周壁の末端辺と同一平面上にあり、第１の位置で表示画面を共同して支持している。
【００１８】
一実施形態では、第１のシェルは、第３側周壁を更に含む。第３側周壁は、第１側周壁と第２側周壁との間に接続されている。第１側周壁、第２側周壁および第３側周壁の末端辺は、表示画面と接続されている。第３側周壁には、接続口が設けられている。
【００１９】
一実施形態では、第１のシェルは、第４側周壁を更に含む。第４側周壁は、第１側周壁と第２側周壁との間に接続されている。第１側周壁、第２側周壁、および第４側周壁の末端辺は、表示画面と接続されている。第１の位置では、第２のシェルの端壁の外部表面は、第４側周壁の外部表面と同一平面上にある。第２の位置では、第２のシェルの端壁は、第４側周壁と整列していない。
【００２０】
一実施形態では、第２のシェルの端壁には突出部が設けられている。カメラは突出部に配置されている。突出部に対応する隙間が、第１のシェルの第４側周壁に形成される。第１の位置では、突出部は隙間に受け入れられる。
【００２１】
一実施形態では、第２のシェルは、底板、ならびに底板と接続される側壁および端壁を含む。カメラは側壁に配置されている。側壁および第２側周壁は、互いに対向して配置されている。第１の位置では、側壁の外部表面は、第１側周壁の外部表面と同一平面上にある。第２の位置では、側壁は第１側周壁と整列せず、カメラの光入射面を露出する。
【００２２】
一実施形態では、第１側周壁および第２側周壁の末端辺は、表示画面と接続されている。第２のシェルの側壁および端壁の末端辺は、第１側周壁および第２側周壁の末端辺と同一平面上にあり、第１の位置で表示画面を共同して支持している。
【００２３】
一実施形態では、第１のシェルは、第４側周壁を更に含む。第４側周壁は、第１側周壁と第２側周壁との間に接続されている。第１側周壁、第２側周壁、および第４側周壁の末端辺は、表示画面と接続されている。第２のシェルの端壁の外部表面は、第４側周壁の外部表面と同一平面上にある。
【００２４】
一実施形態では、移動端末は底板の外部表面に配置される別のカメラを更に含む。
【００２５】
一実施形態では、移動端末は軸受部に配置される別のカメラを更に含む。貫通孔が第２のシェルの底板に形成される。前記別のカメラは、貫通孔から露出する。
【００２６】
一実施形態では、貫通孔の延在部分の長さは、第２のシェルの第１の位置から第２の位置までの変位の距離以上である。
【００２７】
一実施形態では、移動端末は軸受部に配置される別のカメラを更に含む。貫通孔が第２のシェルの底板に形成される。前記別のカメラは、貫通孔から露出する。貫通孔は、底板の他端を貫通している。
【００２８】
一実施形態では、移動端末は機能ボタンを更に含む。機能ボタンは、第２のシェルの第１側壁または第２側壁の少なくとも一方に配置される。
【００２９】
一実施形態では、移動端末は、赤外レンズ、投光誘導要素、距離センサ、環境光センサ、拡声器、マイクロフォンおよびドットプロジェクタから選択される少なくとも１つの要素を更に含む。少なくとも１つの要素は、第２のシェルに配置される。
【００３０】
一実施形態では、互いに協働する摺動レールおよびシュートが、軸受部と第２のシェルとの間に設置されている。
【００３１】
一実施形態では、第２のシェルには挟持溝が設けられている。弾性片および突出しピンが、軸受部に配置されている。弾性片は、軸受部と突出しピンとの間に弾性的に置かれている。第２のシェルが第１の位置と第２の位置との間で変位するとき、突出しピンは、挟持溝の中に、または挟持溝の外へと摺動することができる。
【００３２】
本開示の別の実施形態はまた、背面ハウジング、表示画面およびカメラを含み得る移動端末を提供する。背面ハウジングは、第１のシェル、軸受部および第２のシェルを含む。軸受部は第２のシェルから延在している。軸受部および第２のシェルは、受入空間を協働して画定している。第２のシェルは、軸受部を介して第１のシェルに対して摺動可能に配置され、第１の位置および第２の位置となるように、第１のシェルに相対して移動可能になっている。第１の位置では、第２のシェルが受入空間を満たし、平坦にして、軸受部を取り囲む。第２の位置では、第２のシェルが移動することにより、軸受部の少なくとも一部が露出する。表示画面は第１のシェルと接続されている。カメラは第２のシェルに配置されている。第１の位置ではカメラの光入射面がブロックされ、第２の位置ではカメラの光入射面が露出する。
【００３３】
本開示の更なる別の実施形態はまた、背面ハウジング、表示画面およびカメラを含む移動端末を提供するものであり、背面ハウジングは、第１のシェルおよび第２のシェルを含む。第１のシェルは表示画面と固定して接続されている。第２のシェルは、表示画面に相対して摺動することが可能であり、第１の位置および第２の位置で停止する。第２のシェルが第１の位置で停止する場合、第１のシェルは第２のシェルに接触して、表示画面を共同して支持し、背面ハウジングを開放された箱状形状にすることができる。第１のシェルは、底壁、ならびに底壁の３つの辺から延在する第１側周壁、第２側周壁、および第３側周壁を含む。第１側周壁および第２側周壁は、互いに対向して配置され、第３側周壁は、第１側周壁と第２側周壁との間に接続されている。第２のシェルは、底板、ならびに底板の３つの辺から延在する第１側壁、第２側壁および端壁を含む。第１側壁および第２側壁は、互いに対向して配置され、端壁は、第１側壁と第２側壁との間に接続されている。底壁の外部表面は、底板の外部表面と同一平面上にある。第１側周壁の外部表面は、第１側壁の外部表面と同一平面上にある。第２側周壁の外部表面は、第２側壁の外部表面と同一平面上にある。
【００３４】
カメラは第２のシェルに配置されている。第２のシェルが第１の位置に摺動される場合、カメラは移動端末内部に位置する。第２のシェルが第２の位置に摺動される場合、カメラを移動端末から露出させることができ、カメラの光入射面の方向は、表示画面の光入射面の方向と同じである。
【００３５】
一実施形態では、移動端末はモーターを更に含む。モーターの出力軸には、ギアが設けられている。第２のシェルには、ラックが設けられている。モーターが動作することにより、第２のシェルを第１のシェルに相対して摺動するように駆動するといった方法で、ラックおよびギアが協働する。
【００３６】
一実施形態では、第２のシェルには磁気片が設けられており、第１のシェルには電磁石が設けられている。第２のシェルが第１の位置と第２の位置との間で変位することが可能となるように、電磁石の極性を変化させることによって、第２のシェルの磁気片に引力または斥力が生じる。
【００３７】
一実施形態では、移動端末は摺動ブロック、プルロッドおよび弾性片を更に含む。摺動ブロックは第２のシェルに配置され、第１のシェルと滑り嵌め状態にある。摺動ブロックには、ハート形に類似した形状の溝が設けられている。ハート形に類似した形状の溝には、ロック位置および解放位置がある。プルロッドの一端は第１のシェルに枢着されており、プルロッドのもう一端はハート形に類似した形状の溝内で移動可能に配置されている。弾性片は、第１のシェルと摺動ブロックとの間で圧縮して配置されている。プルロッドの前記もう一端は、弾性片によってもたらされる弾性力によって、ロック位置または解放位置で停止することができる。プルロッドの前記もう一端がロック位置で停止する場合、第２のシェルは第１の位置にある。プルロッドの前記もう一端が解放位置で停止する場合、第２のシェルは第２の位置にある。
【００３８】
一実施形態では、移動端末は、第１のシェルに配置されている歯車対およびネジ棒、第２のシェルと接続されている伝達棒、および伝達棒に配置されている伝達ピンを更に含む。ネジ棒には、伝達ピンと協働する螺旋溝が設けられている。歯車対はネジ棒を回転状態に駆動し、その結果伝達ピンが螺旋溝に沿って移動し、これにより第２のシェルが第１の位置と第２の位置との間で変位する。
【００３９】
一実施形態では、第２のシェルが第１の位置にある場合、第１のシェルの底壁と第２のシェルの底板との間のスリットは、直線型かまたは曲線型である。
【００４０】
一実施形態では、第２のシェルが第１の位置にある場合、第１のシェルの底壁と第２のシェルの底板との間のスリットは、Ｖ字形断面を含む。Ｖ字形断面の開口部は、第２のシェルの方向を向いている。
【００４１】
一実施形態では、第１側周壁および第３側周壁、第２側周壁および第３側周壁、第１側壁および端壁、または第２側壁および端壁が、円弧状の移行部を介して接続されている。
【００４２】
一実施形態では、移動端末は、赤外レンズ、投光誘導要素、距離センサ、環境光センサ、拡声器、マイクロフォンおよびドットプロジェクタから選択される少なくとも１つの要素を更に含む。少なくとも１つの要素は、第２のシェルに配置される。第２のシェルが第１の位置にある場合、少なくとも１つの要素は移動端末内部に位置する。第２のシェルが第２の位置に摺動される場合、少なくとも１つの要素を移動端末から露出させることができる。
【００４３】
一実施形態では、移動端末は別のカメラを更に含む。前記別のカメラは第２のシェルに配置されており、移動端末のメインボードと通信可能に接続される。
【００４４】
一実施形態では、移動端末は別のカメラを更に含む。前記別のカメラは第１のシェルに配置されており、フレキシブル回路基板を介して移動端末のメインボードと通信可能に接続される。
【００４５】
図１〜図５に示されるように、本開示の第１の実施形態は、特に一例として、スマートモバイルフォンで移動端末を説明している。移動端末は、背面ハウジング１００、表示画面１５０およびカメラ１７０（図４および図５で示される）を含む。表示画面１５０は、背面ハウジング１００に固定して接続されている。背面ハウジング１００は、互いに相対して摺動可能に配置される、第１のシェル１２０および第２のシェル１４０を含む。第２のシェル１４０は、第１のシェル１２０に相対して摺動することが可能であり、第１の位置および第２の位置をとる。本明細書において、図１および図２に示される第２のシェル１４０は第１の位置にあり、図３および図４に示される第２のシェル１４０は第２の位置にある。カメラ１７０は、第２のシェル１４０に配置されており、カメラ１７０の光入射面の方向は、表示画面１５０の光入射面の方向と同じである。
【００４６】
図１で示されるように、第２のシェル１４０が第１の位置にある場合、カメラ１７０は移動端末内部でブロックされる。その結果、表示画面１５０に表示される情報をユーザが見るときには、カメラ１７０が見えなくなる可能性があり、外部光線がカメラ１７０の光入射面に入射することができない。図４で示されるように、第２のシェル１４０が第２の位置にある場合、第２のシェル１４０を駆動することを受けて、カメラ１７０の光入射面は移動端末から露出し、移動端末のその他の構成要素によってブロックされなくなる。このとき、カメラ１７０はユーザによって確認することができ、また、外部光線がカメラ１７０の光入射面を介してカメラ１７０に入射することができる。従って、カメラ１７０はフロントカメラとして使用してもよく、カメラ１７０を使用することにより、撮影機能およびビデオ通話などの機能が実行される。
【００４７】
図５で示されるように、第１のシェル１２０は、底壁１２５、ならびに底壁１２５の３つの辺から延在する第１側周壁１２１、第２側周壁１２２、および第３側周壁１２３を含む。第１側周壁１２１および第２側周壁１２２は、互いに対向して配置され、第３側周壁１２３は、第１側周壁１２１と第２側周壁１２２との間に接続されている。第１側周壁１２１、第２側周壁１２２および第３側周壁１２３の末端辺は同一平面上にあり、表示画面１５０と固定して接続されるように構成されている。表示画面１５０は、プラスチック小片を介して第１のシェル１２０と接続されていてもよく、また、接着剤などのその他の様式で第１のシェル１２０に固定して接続されていてもよい。移動端末が使用される場合のプロセスでは、表示画面１５０と第１のシェル１２０との相対位置は変化しない。第３側周壁１２３には、接続口１２６が設けられている。接続口１２６は、外部デバイスと接続するように構成されていてもよい。外部デバイスは、例えば、電源デバイス、ヘッドセットなどであってよい。第１側周壁１２１および／または第２側周壁１２２に機能ボタン１２７が配置されている。機能ボタン１２７は、音量調整キー、電源キーなどであってよい。
【００４８】
第２のシェル１４０は、底板１４５、ならびに底板１４５の３つの辺から延在する第１側壁１４１、第２側壁１４２および端壁１４３を含む。第１側壁１４１、第２側壁１４２および端壁１４３の末端辺は、同一平面上にある。第１側壁１４１および第２側壁１４２は、互いに対向して配置され、端壁１４３は、第１側壁１４１と第２側壁１４２との間に接続されている。端壁１４３は、底板１４５の一端の辺に配置されている。端壁１４３が位置する端に対向する底板１４５のもう一端は、第１のシェル１２０の方向を向いている。カメラ１７０は端壁１４３に配置されている。第２のシェル１４０は、第１のシェル１２０に相対して摺動可能に配置される。第２のシェル１４０が第１の位置と第２の位置との間で変位すると、第２のシェル１４０と表示画面１５０との相対位置が変化し、結果としてカメラ１７０は移動端末内に覆い隠されるか、または移動端末から露出する。いくつかの実施形態では、移動端末は、赤外レンズ、投光誘導要素、距離センサ、環境光センサ、拡声器、マイクロフォンおよびドットプロジェクタから選択される少なくとも１つの機能要素１７２を更に含む。機能要素１７２はまた、第２のシェル１４０に配置される。具体的には、図５で示されるように、機能要素１７２は第２のシェル１４０の端壁１４３にカメラ１７０と共に配置される。複数の機能要素１７２が設けられている場合、複数の機能要素１７２は、カメラ１７０と直線的に配置されていてもよい。機能要素１７２はまた、第２のシェル１４０と共に第１の位置と第２の位置との間で変位し、これにより移動端末内に覆い隠されるか、または移動端末から露出する。
【００４９】
カメラ１７０および機能要素１７２は、フレキシブル回路基板などのデバイスを介して、移動端末のメインボード１９０（図７）と通信可能に接続されていてもよい。図２および図３で示されるように、一実施形態では、移動端末は第２のシェル１４０に配置される別のカメラ１７１を更に含む。特定の実施形態では、前記別のカメラ１７１は、第２のシェル１４０の底板１４５の外部表面に配置されており、前記別のカメラ１７１の光入射面の方向は、表示画面１５０の光入射面の方向とは異なっている。具体的には、前記別のカメラ１７１の光入射面は、カメラ１７０の光入射面に対向して配置され、前記別のカメラ１７１は、リアカメラとして使用してもよい。他のいくつかの実施形態では、図１１で示されるように、前記別のカメラ１７１は第１のシェル１２０にも配置されてもよい。具体的には、前記別のカメラ１７１は、第１のシェル１２０の底壁１２５に配置されてもよく、フレキシブル回路基板を介して移動端末のメインボード１９０と通信可能に接続される。
【００５０】
第１のシェル１２０および第２のシェル１４０は、略塵取り形状である。第２のシェル１４０が第１の位置にある場合、第１のシェル１２０および第２のシェル１４０は接触し、共同して開放された箱状構造を形成する。本明細書において、第１のシェル１２０の底壁１２５の外部表面は、第２のシェル１４０の底板１４５の外部表面と同一平面上にあり、第１のシェル１２０の第１側周壁１２１の外部表面は、第２のシェル１４０の第１側壁１４１の外部表面と同一平面上にあり、および第１のシェル１２０の第２側周壁１２２の外部表面は、第２のシェル１４０の第２側壁１４２の外部表面と同一平面上にある。その結果、背面ハウジング１００の外観の一体性がより高められる。第１側周壁１２１、第２側周壁１２２、および第３側周壁１２３の末端辺、ならびに第１側壁１４１、第２側壁１４２および端壁１４３の末端辺はすべて、同一水平面上に位置し、表示画面１７０を共同して支持するために使用される。
【００５１】
図２で示されるように、第１のシェル１２０および第２のシェル１４０が接触するとき、それらの間にスリット１０１が形成されるということが理解され得る。異なる機械加工精度に起因して、スリット１０１の寸法は異なっていてもよい。スリット１０１の幅は、一般に０．５ｍｍ以内に制御される。更に、幅は０．１ｍｍ以内である。また更に、機械加工精度および組立精度のため、スリット１０１の幅は、数ミクロンまたは何十ミクロンであってよい。
【００５２】
第２のシェル１４０が第２の位置に移動する場合、図３、図４および図６で示されるように、スリット１０１の幅が大きくなる。このとき、第２のシェル１４０の端壁１４３の少なくとも一部が露出し、その結果、端壁１４３に配置されたカメラ１７０が移動端末内部から移動端末外部に移動する。このようにして、カメラ１７０の撮影およびビューファインディング機能を正常に実行することができる。
【００５３】
一実施形態では、図４および図５で示されるように、背面ハウジング１００は、第１のシェル１２０から延在する軸受部１１０を更に含む。軸受部１１０および第１のシェル１２０は、受入空間を協働して画定している。軸受部１１０の厚さは、第１のシェル１２０の厚さよりも小さく、その結果、軸受部１１０の外部表面と第１のシェル１２０の外部表面との間に受入空間が画定される。第２のシェル１４０は、軸受部１１０を介して第１のシェル１２０と摺動可能に配置される。例えば、軸受部１１０と第２のシェル１４０との間に、互いに協働する摺動レールおよびシュートを形成してもよい。図６および図７で示されるように、一実施形態では、シュート１１６が軸受部１１０の外部表面に形成され、対応する摺動レール１４６が第２のシェル１４０の内部表面に形成される。第２のシェル１４０は、シュート１１６に沿って第１の位置と第２の位置との間で変位することができる。第１の位置では、第２のシェル１４０が受入空間を満たし、平坦にして、第２のシェル１４０が軸受部１１０を取り囲む。図２で示されるように、第２のシェル１４０は受入空間を満たし、平坦にするが、これは第２のシェル１４０と第１のシェル１２０とが接触するものとして特に示され、第１のシェル１２０および第２のシェル１４０は、共同して開放された箱状構造を形成し、表示画面１５０を共同して支持する。第２のシェル１４０は軸受部１１０を取り囲むが、これは、第２のシェル１４０が、少なくとも２つの平面において互いに傾斜して軸受部１１０を覆うということを理解されたい。図５で示されるように、第２のシェル１４０は、底板１４５、ならびに底板１４５の３つの辺から延在する第１側壁１４１、第２側壁１４２および端壁１４３により、軸受部１１０の４つの異なる方向を取り囲み、続いて、表示画面１５０および第１のシェル１２０によって、軸受部１１０に対して完全な周囲構造体を形成する。その結果、第２のシェル１４０が第１の位置にある場合は、軸受部１１０は移動端末内部で完全にブロックされ、ユーザは軸受部１１０を確認することができない。
【００５４】
第１の位置と第２の位置との間における第２のシェル１４０の変位は、完全に手作業で実行してもよい。更に、第２のシェル１４０と軸受部１１０との間に、停止構造体および制限構造体を形成してもよい。停止構造体によって、第２のシェル１４０は、定位置に移動した後に接触感覚を促す機能を提供し、第２のシェル１４０が所定の位置に到達したことをユーザに通知するようにしている。第２のシェル１４０が制限位置に到達した後、制限構造体は、第２のシェル１４０が連続的に移動することを制限することができる。その結果、第２のシェル１４０が第１のシェル１２０から隔てられることを防止し、移動端末が損傷を受けることが防止される。図６は、停止構造体を示す。第２のシェル１４０には、挟持溝１４７が設けられている。弾性片１１８および突出しピン１１７が、軸受部１１０に配置されている。弾性片１１８は、軸受部１１０と突出しピン１１７との間に弾性的に置かれている。第２のシェル１４０が第１の位置と第２の位置との間で変位するとき、突出しピン１１７は、挟持溝１４７の中に、または挟持溝１４７の外へと摺動することができる。より具体的には、第２のシェル１４０の第１側壁１４１の内部表面に挟持溝１４７を形成してもよい。軸受部１１０の外部表面に突出しピン１１７および弾性片１１８を配置してもよい。一実施形態では、軸受部１１０の外部表面に端ぐり穴１１９を直接形成し、突出しピン１１７および弾性片１１８を端ぐり穴１１９で受けるようにしてもよい。別の任意の実施形態では、突出しピン１１７および弾性片１１８は、軸受部１１０の内部表面と接続された固定ブロックによって更に保持されていてもよい。そのような状況の下では、突出しピン１１７を外に貫通するように貫通孔が軸受部１１０に形成される。
【００５５】
軸受部１１０の内部表面は、移動端末のメインボード１９０などの要素を配置するように、第１のシェル１２０の内部表面と同一平面上にあってよい。メインボード１９０は、フレキシブル回路基板などのデバイスを介して、表示画面１５０、カメラ１７０、前記別のカメラ１７１および機能要素１７２と通信可能に接続されていてもよい。
【００５６】
一実施形態では、図６および図７で示されるように、軸受部１１０は、基材１１５、ならびに互いに対向して配置される第１側板１１１および第２側板１１２を含む。基材１１５は、第１側板１１１と第２側板１１２との間に接続されている。基材１１５は、第１のシェル１２０の底壁１２５の一端に接続され、基材１１５の厚さは底壁１２５の厚さよりも小さい。第１側板１１１は、第１のシェル１２０の第１側周壁１２１に接続されており、第１側板１１１の厚さは第１側周壁１２１の厚さよりも小さい。第２側板１１２は、第１のシェル１２０の第２側周壁１２２に接続されており、第２側板１１２の厚さは第２側周壁１２２の厚さよりも小さい。軸受部１１０は、第１のシェル１２０と一体成形されていてもよい。第１のシェル１２０と軸受部１１０との間の厚さの違いにより、上記の受入空間が画定される。第１のシェル１２０および軸受部１１０によって画定される受入空間において、端面１０２が形成される。底板１４５の一端は、端壁１４３に配置され、底板１４５のもう一端は、端面１０２の方向を向いている。第１の位置では、底板１４５の前記もう一端は、端面１０２に対して当接している。第２の位置では、底板１４５の前記もう一端は、端面１０２から隔てられる。図５で示されるように、底板１４５の前記もう一端は、平坦な表面であり、そのため、対応する端面１０２も平坦な表面である。その他の実施形態では、端面１０２は、第２のシェル１４０に対して突出した、凸状に湾曲した表面であってよく、また、第２のシェル１４０に対向して窪んだ、凹状に湾曲した表面であってもよい。それに応じて、底板１４５の形状も端面１０２と一致しており、その結果、第２のシェル１４０と第１のシェル１２０との間に形成されるスリット１０１のそれぞれの箇所は、幅が一定となる。
【００５７】
図６で示されるように、第１のシェル１２０の底壁１２５の外部表面との端面１０２の交差線１０３は直線である。そのような状況の下では、第１のシェル１２０の底壁１２５と第２のシェル１４５の底板１４０との間のスリット１０１は、直線型である。底壁１２５の外部表面との端面１０２の交差線１０３は、第１側周壁１２１に対して鋭角であってよく、それに応じて、交差線１０３は、第２側周壁１２２に対して鈍角である。これに対して、交差線１０３は第１側周壁１２１に対して鈍角であってよく、それに応じて、交差線１０３は第２側周壁１２２に対して鋭角である。図８で示されるように、交差線１０３はまた、第１側周壁１２１に対して直角であってもよい。
【００５８】
図９〜図１３で示されるように、第１のシェル１２０の底壁１２５の外部表面との端面１０２の交差線１０３はまた、曲線であってもよく、その結果、第１のシェル１２０の底壁１２５と第２のシェル１４０の底板１４５との間のスリット１０１は、曲線型となる。いくつかの実施形態では、底壁１２５の外部表面との端面１０２の交差線１０３は、互いに傾斜している少なくとも２本の直線を含む。図９で示されるように、交差線１０３がＶ字形状となるように、交差線１０３は互いに傾斜している２本の直線を有する。それに応じて、底壁１２５と底板１４５との間のスリット１０１も、Ｖ字形断面を有する。Ｖ字形断面のスリット１０１の開口部は、第２のシェル１４０の方向を向いている。図１０および図１１で示されるように、交差線１０３は連続して接続されている４本の直線であり、その２本の隣接線は、交差線１０３がＷ字形状となるように、互いに傾斜している。それに応じて、底壁１２５と底板１４５との間のスリット１０１も、Ｗ字形断面を有する。図１２で示されるように、交差線１０３は、略Ｃ字形状である。それに応じて、底壁１２５と底板１４５との間のスリット１０１も、Ｃ字形断面を有する。図１３で示されるように、交差線１０３は、複数の円弧断面を有するＳ字形状である。それに応じて、底壁１２５と底板１４５との間のスリット１０１も、Ｓ字形断面を有する。
【００５９】
図１〜図５で示される実施形態では、第１のシェル１２０の第１側周壁１２１および第３側周壁１２３、第２側周壁１２２および第３側周壁１２３、ならびに、第２のシェル１４０の第１側壁１４１および端壁１４３、ならびに第２側壁１４２および端壁１４３は、直角に接続した状態にある。その他の実施形態では、図１０〜図１３で示されるように、第１のシェル１２０のそれぞれの側周壁、または第２のシェル１４０のそれぞれの側壁および端壁は、円弧状の移行部を介して接続されていてもよい。
【００６０】
上記の実施形態における軸受部１１０は、第１のシェル１２０から延在している。その他の実施形態では、軸受部１１０はまた、第２のシェル１４０から延在していてもよい。すなわち、軸受部１１０の基材１１５は、第２のシェル１４０の底板１４５と接続される。軸受部１１０の第１側板１１１は、第２のシェル１４０の第１側壁１４１に接続され、軸受部１１０の第２側板１１２は、第２のシェル１４０の第２側壁１４２に接続される。軸受部１１０が形成される位置が変位するため、第２のシェル１４０および軸受部１１０が、それに応じて受入空間を画定する。端面が受入空間で形成され、この端面が第２のシェル１４０の外部表面と交差して、交差線を形成する。第２のシェル１４０が第１の位置にある場合、第１のシェル１２０の底壁１２５の一端の辺は、端面に対して当接し、第１のシェル１２０は受入空間を満たし、平坦にして、軸受部１１０を取り囲む。第２のシェル１４０が第２位置にある場合、第１のシェル１２０の底壁１２５の一端の辺は端面から隔てられ、その結果、軸受部１１０の少なくとも一部が露出する。その他の設定は、軸受部１１０が形成される位置の変化により、それに応じて変更してもよい。しかしながら、軸受部１１０が形成される位置の変化に影響を受けない設定は、上記の実施形態と同様であり、ここでは繰り返さない。
【００６１】
第１の位置と第２の位置との間における第２のシェル１４０の変位は、完全に手作業を介して実行してもよく、更に、補助的な伝達機構によって実行してもよい。図１４〜図２１は、異なる形式の伝達機構を示すものであり、ここで、図１４〜図１５は、第１の形式の伝達構造を示し、図１６〜図１７は、第２の形式の伝達構造を示し、図１８〜図１９は、第３の形式の伝達構造を示し、図２０〜図２１は、第４の形式の伝達構造を示している。異なる実施形態では、移動端末は、第１のシェル１２０に相対して第２のシェル１４０が移動することを実現するために、必要に応じて異なる伝達機構を選択してもよい。
【００６２】
図１４および図１５で示されるように、移動端末は、摺動ブロック１６０、プルロッド１６５および弾性片１６７を更に含む。摺動ブロック１６０は、第２のシェル１４０に配置されている。摺動ブロック１６０は第２のシェル１４０と共に移動することができ、摺動ブロック１６０および第２のシェル１４０では、それらの間で相対的な移動を生じない。摺動ブロック１６０は、第１のシェル１２０と滑り嵌め状態にある。例えば、摺動ブロック１６０の一端が第１のシェル１２０の方向に延在して、摺動棒を形成してもよい。対応する摺動孔は、第１のシェル１２０に形成される。摺動棒は摺動孔と協働して、第１のシェル１２０に相対して摺動するように摺動ブロック１６０を案内することができる。
【００６３】
摺動ブロック１６０には、ハート形に類似した形状の溝１６１が設けられている。ハート形に類似した形状の溝１６１には、ロック位置１６２および解放位置１６３がある。本明細書において、解放位置１６３は、ハート形に類似した形状の溝１６１の端部、第１のシェル１２０の最も近傍に位置し、ロック位置１６２は、第１のシェル１２０から離れ、ハート形に類似した形状の溝１６１の輪郭の窪んだ箇所に位置する。ハート形に類似した形状の溝１６１には更に、ロック位置１６２の２つの側面にそれぞれ位置し、ハート形に類似した形状の溝１６１の中で第１のシェル１２０に最も遠い位置となる、２つの制限位置１６４が設けられている。
【００６４】
プルロッド１６５の一端は、第１のシェル１２０に枢着されている。例えば、第１のシェル１２０の底壁１２５の内部表面などの、第１のシェル１２０の対応する位置で、協働する孔を形成してもよく、プルロッド１６５の一端が、この協働する孔に回転可能に接合されていてもよい。プルロッド１６５のもう一端は、ハート形に類似した形状の溝１６１内で移動可能に配置されている。本明細書において図１４で示されるように、プルロッド１６５の前記もう一端が解放位置１６３で停止する場合、第２のシェル１４０は第２の位置にある。本明細書において図１５で示されるように、プルロッド１６５の前記もう一端がロック位置１６２で停止する場合、第２のシェル１４０は第１の位置にある。
【００６５】
弾性片１６７は、第１のシェル１２０と摺動ブロック１６０との間で圧縮して配置されている。弾性片１６７によってもたらされる弾性力により、摺動ブロック１６０（すなわち、第２のシェル１４０）には、第１のシェル１２０から離れて移動するという傾向がある。プルロッド１６５の前記もう一端は、ハート形に類似した形状の溝１６１と協働するため、プルロッド１６５の牽引力は、弾性片１６７の弾性力との均衡を形成し得る。介入する外力がない場合は、プルロッド１６５は、ロック位置１６２または解放位置１６３で停止し得る。すなわち、第２のシェル１４０は、第１の位置または第２位置で停止する。図１４の第２の位置から図１５の第１の位置に第２のシェル１４０を変位する必要がある場合、第２のシェル１４０が第１のシェル１２０へと移動するように、ユーザが第２のシェル１４０を押し、弾性片１６７によってもたらされる弾性力を克服してもよい。このプロセスの間、対応するプルロッド１６５の端部は、解放位置１６３から移動して、ハート形に類似した形状の溝１６１の制限位置１６４を通ってロック位置１６２まで通過する。図１５の第１の位置から図１４の第２の位置に第２のシェル１４０を変位する必要がある場合、プルロッド１６５の対応する端部がロック位置１６２から離れるのを妨げるように、ユーザが第２のシェル１４０を押してもよい。制限位置１６４を通過した後、ユーザは再度外力を加える必要はない。第２のシェル１４０は、弾性片１６７によってもたらされる弾性力によって第２の位置に到達することができる。すなわち、弾性片１６７の弾性力の作用の下で、プルロッド１６５が制限位置１６４からロック位置１６２に到達することができる。
【００６６】
第１の位置にある第２のシェル１４０を押すことによって生じた妨げは限定的なものであるため、第２のシェル１４０の移動方向に沿った制限位置１６４とロック位置１６２との間の距離が大きすぎてはならず、あるいはそうでない場合、プルロッド１６５の対応する端部がうまくロック位置１６２から離れることができず、制限位置１６４を乗り越えることができない。そのような状況からみて、いくつかの実施形態では、摺動ブロック１６０および第２のシェル１４０は、相対的に動くことができるように更に構成されていてもよく、対応するボタンが第２のシェル１４０に配置される。ボタンは、第２のシェル１４０から露出する。ボタンを押すことによって、摺動ブロック１６０は十分な距離を移動することができ、これにより、対応するプルロッド１６５の端部がロック位置１６２から移動して、制限位置１６４を乗り越え、第１の位置と第２の位置との間における第２のシェル１４０のスムーズな変位が保証される。
【００６７】
いくつかの実施形態では、ハート形に類似した形状の溝１６１の底部に、特定の方向に沿って段差を更に形成し、プルロッド１６５がハート形に類似した形状の溝１６１内で所与の方向だけに沿って移動することができ、段差を越えて移動して、逆方向に移動することができないようにしてもよい。
【００６８】
図１６および図１７で示されるように、一実施形態では、移動端末はモーター１８０を更に含む。モーター１８０は、第１のシェル１２０に固定されていてもよい。モーター１８０はまた、その他の要素によって第１のシェル１２０と固定して接続されていてもよく、例えば、軸受部１１０に配置されていてもよい。モーター１８０の出力軸には、ギア１８１が設けられている。第２のシェル１４０には、ラック１４８が設けられている。モーター１８０が動作することにより、第２のシェル１４０を第１のシェル１２０に相対して摺動するように駆動するといった方法で、ラック１４８およびギア１８１が協働する。ラック１４８は、第２のシェル１４０の特定の側壁に配置してもよく、また第２のシェル１４０の底板１４５にも配置してもよいが、これはモーター１８０の固定位置およびモーター１８０の出力軸の方向によって決定することができる。回路基板を通じて、メインボード１９０をモーター１８０と通信可能に接続してもよく、第２のシェル１４０が第１の位置と第２の位置との間で変位するように、モーター１８０の操作時間および操作方向を制御してもよい。
【００６９】
図１８および図１９で示されるように、一実施形態では、第２のシェル１４０には磁気片１４９が設けられている。磁気片１４９は、様々な形式の磁石であってよく、第１のシェル１２０に対する極性は固定されており、可変ではない。第１のシェル１２０には、電磁石１２９が設けられている。第１のシェル１２０に対する電磁石１２９の極性は可変である。例えば、メインボード１９０が電磁石１２９の電流の向きを変えることができることによって、電磁石１２９の極性を変えてもよい。電磁石１２９はそれに応じて磁気片１４９と共に配置され、電磁石１２９の異なる極性により、磁気片１４０に引力または斥力が生じる。その結果、第２のシェル１４０を、第１のシェル１２０に対して相対運動を生じるように駆動することができる。これにより、第２のシェル１４０が第１の位置と第２の位置との間で変位する。
【００７０】
図２０および図２１で示されるように、一実施形態では、移動端末は歯車対１８２、ネジ棒１８３、伝達棒１８４および伝達ピン１８５を更に含む。歯車対１８２およびネジ棒１８３は、第１のシェル１２０に配置されており、歯車対１８２の回転によってネジ棒１８３を回転状態に駆動することができる。ネジ棒１８３には、螺旋溝１８７が設けられている。歯車対１８２は、モーターなどの駆動片１８６によって駆動してもよい。歯車対１８２は、必要とされる伝達率に見合うことを前提として、占有スペースを減らすように二段または多段ギア伝達機構によって形成されていてもよい。伝達棒１８４は、第２のシェル１４０と接続されている。伝達ピン１８５は、伝達棒１８４に配置されている。伝達ピン１８５はネジ棒１８３の螺旋溝１８７と協働する。歯車対１８２が回転すると、ネジ棒１８３を回転状態に駆動することができ、螺旋溝１８７に埋め込まれた伝達ピン１８５が、螺旋溝１８７に沿って移動するように駆動される。その結果、第２のシェル１４０が、第１のシェル１２０に相対して移動することができる。歯車対１８２の回転方向を制御することによって、第２のシェル１４０は、第１の位置と第２の位置との間で変位することができる。伝達棒１８４を中空構造体となるように構成し、フレキシブル回路基板１８８を通過するようにして、続いてこのフレキシブル回路基板１８８が第２のシェル１４０のカメラ１７０、１７１と第１のシェル１２０のメインボード１９０とを導通することができるようにしてもよい。
【００７１】
図２２は、本開示の第２の実施形態によって提供される移動端末を示す。上記の実施形態の移動端末と、この移動端末の違いは、機能ボタン１２７が第２のシェル１４０に配置され得るということにある。例えば、機能ボタン１２７は、第２のシェル１４０の第１側壁１４１に配置され、また、第２のシェル１４０の第２側壁１４２に配置され得るか、または第１側壁１４１および第２側壁１４２に同時に配置される。
【００７２】
図２３は、本開示の第３の実施形態によって提供される移動端末を示す。移動端末はまた、背面ハウジング、表示画面３５０およびカメラ３７０を含む。背面ハウジングは、互いに相対して摺動可能に配置される、第１のシェル３２０および第２のシェル３４０を含む。第２のシェル３４０は、底板３４５、ならびに底板３４５の３つの辺から延在する第１側壁３４１、第２側壁３４２および端壁３４３を含む。第１側壁３４１、第２側壁３４２および端壁３４３の末端辺は、同一平面上にある。第１側壁３４１および第２側壁３４２は、互いに対向して配置され、端壁３４３は、第１側壁３４１と第２側壁３４２との間に接続されている。端壁３４３は、底板３４５の一端の辺に配置されている。端壁３４３が位置する端に対向する底板３４５のもう一端は、第１のシェル３２０の方向を向いている。カメラ３７０は端壁３４３に配置されている。第１のシェル３２０は、底壁３２５、ならびに底壁３２５の３つの辺から延在する第１側周壁３２１、第２側周壁３２２、および第３側周壁３２３を含む。第１側周壁３２１および第２側周壁３２２は、互いに対向して配置され、第３側周壁３２３は、第１側周壁３２１と第２側周壁３２２との間に接続されている。第１のシェル３２０が、第４側周壁３２４を更に含むということが異なっている。第４側周壁３２４は、第１側周壁３２１と第２側周壁３２２との間に接続されている。第１側周壁３２１、第２側周壁３２２、第３側周壁３２３および第４側周壁３２４の末端辺は同一平面上にあり、かつ同一水平面上に位置し、同時に表示画面３５０と接続されている。
【００７３】
第１の位置では、第２のシェル３４０の端壁３４３の外部表面は、第１のシェル３２０の第４側周壁３２４の外部表面と同一平面上にある。第２の位置では、第２のシェル３４０の端壁３４３の外部表面は、第４側周壁３２４の外部表面と整列しない。
【００７４】
更に、図２４で示されるように、第２のシェル３４０の端壁３４３に、突出部３４６を更に配置してもよい。突出部３４６は、端壁３４３の表面から相対的に突出している。カメラ３７０は端壁３４６に配置されている。図２５で示されるように、突出部３４６に対応する隙間３２６が、第１のシェル３２０の第４側周壁３２４に形成される。第１の位置では、突出部３４６は隙間３２６に受け入れられる。
【００７５】
第３の実施形態によって提供される移動端末において言及されていないその他の特徴は、第１の実施形態および第２の実施形態と同様であり得るために、繰り返さない。
【００７６】
図２６および図２７は、本開示の第４の実施形態によって提供される移動端末を示す。移動端末は、第１の実施形態によって提供される移動端末と略同様である。リアカメラとして使用されるカメラ４７１が第１の実施形態のように第２のシェル４４０と共に移動せず、しかしながら第１のシェル４２０に配置され、第１のシェル４２０と固定して接続されており、第２のシェル４４０の移動プロセスでは位置を変更しないということが異なっている。例えば、カメラ４７１は軸受部４１０に固定されていてもよい。第２のシェル４４０の底板４４５には貫通孔４４９が設けられており、カメラ４７１を貫通孔４４９から露出させている。
【００７７】
貫通孔４４９は第２のシェル４４０の移動方向に沿って延在し、その延在部分の長さは、第２のシェル４４０の、第１の位置から第２の位置までの変位の距離以上である。
【００７８】
図２８で示されるように、貫通孔４４９は更に、第１のシェル４２０により近い底板４４５の一端を貫通していてもよい。
【００７９】
図２９〜図３４は、本開示の第５の実施形態によって提供される移動端末である。図２９および図３０で示されるように、移動端末は、背面ハウジング５００、表示画面５５０およびカメラ５７０を含む。背面ハウジング５００は、互いに相対して摺動可能に配置される、第１のシェル５２０および第２のシェル５４０を含む。第２のシェル５４０は、第１のシェル５２０に相対して摺動することが可能であり、第１の位置および第２の位置をとる。本明細書において、図２９で示される第２のシェル５４０は、第２の位置にある。カメラ５７０は、第２のシェル５４０に配置されており、カメラ５７０の光入射面の方向は、表示画面５５０の光入射面の方向と同じである。第２のシェル５４０が第２の位置にある場合、カメラ５７０の光入射面は、移動端末から露出している。このとき、カメラ５７０はユーザによって確認することが可能であり、また、外部光線がカメラ５７０の光入射面を介してカメラ５７０に入射することができる。従って、カメラ５７０はフロントカメラとして使用してもよく、撮影機能およびビデオ通話などの機能は、カメラ５７０を使用することにより実行される。第２のシェル５４０が第１の位置にある場合、カメラ５７０は移動端末内部でブロックされる。その結果、表示画面５５０に表示される情報をユーザが見るときには、カメラ５７０が見えなくなる可能性があり、外部光線がカメラ５７０の光入射面に入射することができない。
【００８０】
図２９で示されるように、第１のシェル５２０は、底壁５２５、ならびに底壁５２５の３つの辺から延在する第１側周壁５２１、第２側周壁５２２、および第３側周壁５２３を含む。第１側周壁５２１および第２側周壁５２２は、互いに対向して配置され、第３側周壁５２３は、第１側周壁５２１と第２側周壁５２２との間に接続されている。第１側周壁５２１、第２側周壁５２２および第３側周壁５２３の末端辺は同一平面上にあり、表示画面５５０と固定して接続されるように構成されている。
【００８１】
図３３で示されるように、第２のシェル５４０は、底板５４５、ならびに底板５４５の２つの隣接する辺から延在する側壁５４１、端壁５４３を含む。端壁５４３は、底板５４５の一端の辺に配置されている。端壁５４３が位置する端に対向する底板５４５のもう一端は、第１のシェル５２０の第３側周壁５２３の方向を向いている。カメラ５７０は側壁５４１に配置されている。側壁５４１および第２側周壁５２２は、互いに対向して配置されている。第１側周壁５２１、第２側周壁５２２、側壁５４１および端壁５４３の末端辺は同一平面上にあり、第１の位置で表示画面５５０を共同して支持している。
【００８２】
第２のシェル５４０が第１の位置で停止するとき、第１側周壁５２１の外部表面は、側壁５４１の外部表面と同一平面上にある。第１のシェル５２０および第２のシェル５４０は、開放された箱状形状をしており、表示画面５５０を共同して支持する。カメラ５７０は移動端末のその他の構成要素によってブロックされ、移動端末内に覆い隠される。
【００８３】
図２９および図３０で示されるように、第２のシェル５４０が第２の位置で停止するとき、側壁５４１は第１側周壁５２１と整列せず、カメラ５７０が第２のシェル５４０と共に移動して、第１側周壁５２１が位置する側面より、移動端末から露出する。図３３で示されるように、移動端末は、赤外レンズ、投光誘導要素、距離センサ、環境光センサ、拡声器、マイクロフォンおよびドットプロジェクタから選択される少なくとも１つの機能要素５７２を更に含む。機能要素５７２はまた、第２のシェル５４０の側壁５４１に配置される。機能要素５７２はまた、第２のシェル５４０と共に第１の位置と第２の位置との間で変位し、これにより移動端末内に覆い隠されるか、または移動端末から露出する。２つ以上の機能要素５７２が設けられる場合、機能要素５７２およびカメラ５７０は、マトリックス配置などの非線形配置にある。
【００８４】
図３１および図３２で示されるように、背面ハウジング５００は、第１のシェル５２０から延在する軸受部５１０を更に含む。軸受部５１０および第１のシェル５２０は、受入空間を協働して画定している。軸受部５１０の厚さは、第１のシェル５２０の厚さよりも小さく、その結果、軸受部５１０の外部表面と第１のシェル５２０の外部表面との間に受入空間が画定される。第１のシェル５２０および軸受部５１０によって画定される受入空間において、端面５０２が形成される。底壁５２５の外部表面との端面５０２の交差線５０３は直線である。端面５０２は、平坦な表面であっても、または湾曲した表面であってもよい。湾曲した表面である場合、端面５０２は、第２のシェル５４０に対して凸状に延伸した、凸状に湾曲した表面であってもよく、または逆方向に窪んだ、凹状に湾曲した表面であってもよい。
【００８５】
第２のシェル５４０は、軸受部５１０に摺動可能に配置され、端面５０２に平行な方向に沿って移動することができる。第１の位置では、第２のシェル５４０が受入空間を満たし、平坦にして、第２のシェル５４０が軸受部５１０を取り囲む。第２の位置では、第２のシェル５４０は、移動することによって軸受部５１０の少なくとも一部を露出する。第１の位置にあるのか、または第２の位置にあるのかに関係なく、底板５４５の対向する他端は、端面５０２の少なくとも一部に対して当接する。
【００８６】
図３２で示されるように、軸受部５１０は、基材５１５、および基材５１５の一辺から延在する側板５１１を含む。基材５１５の他辺は、第２側周壁５２２と接続されている。側板５１１と第１側周壁５１２との間に特定の空間が設けられ、その結果、第２のシェル５４０は、第１の位置で第２のシェル５４０の側壁５４１を保持するように構成される。
【００８７】
図３４で示されるように、移動端末は別のカメラ５７１を更に含む。前記別のカメラは第１のシェル５２０に配置され、例えば、第１のシェル５２０から延在する軸受部５１０に配置される。第２のシェル５４０の底板５４５には貫通孔５４９が設けられており、前記別のカメラ５７１を外部に露出するようにしている。前記別のカメラ５７１の光入射面の方向は、表示画面５５０の光入射面の方向とは異なっている。前記別のカメラ５７１は第２のシェル５４０と共には移動しない。前記別のカメラ５７１は、リアカメラとして使用することができる。貫通孔５４９の延在部分の方向は、端面５０２に対して平行である。
【００８８】
図３４で示されるように、移動端末はモーター５８０を更に含む。モーター５８０は、第１のシェル５２０に固定されていてもよく、例えば、第１のシェル５２０の底壁５２５に固定されている。モーター５８０の出力軸には、ギア５８１が設けられている。第２のシェル５４０には、ラック５４８が設けられている。例えば、ラック５４８は底板５４５に配置されていてもよい。モーター５８０が作動することにより、第２のシェル５４０を第１のシェル５２０に相対して摺動するように駆動するといった方法で、ラック５４８およびギア５８１が協働する。モーター５８０の駆動様式が、その他の実施形態の駆動様式と同様であり得るということは理解されよう。その他の実施形態において言及され、本実施形態において言及されない特徴は、その他の形式の伝達機構などの、本実施形態において言及される特徴と矛盾がない限り、本実施形態に適用してもよく、簡単な説明に関してここでは繰り返さない。
【００８９】
図３５は、本開示の第６の実施形態によって提供される移動端末を示す。移動端末はまた、背面ハウジング、表示画面６５０およびカメラ６７０を含む。背面ハウジングは、互いに相対して摺動可能に配置される、第１のシェル６２０および第２のシェル６４０を含む。
【００９０】
第１のシェル６２０は、底壁６２５、ならびに底壁６２５の３つの辺から延在する第１側周壁６２１、第２側周壁６２２、および第３側周壁６２３を含む。第１側周壁６２１および第２側周壁６２２は、互いに対向して配置され、第３側周壁６２３は、第１側周壁６２１と第２側周壁６２２との間に接続されている。
【００９１】
第２のシェル６４０は、底板６４５、ならびに底板６４５の２つの隣接する辺から延在する側壁６４１、端壁６４３を含む。端壁６４３は、底板６４５の一端の辺に配置されている。端壁６４３が位置する端に対向する底板６４５のもう一端は、第１のシェル６２０の第３側周壁６２３の方向を向いている。カメラ６７０は側壁６４１に配置されている。側壁６４１および第２側周壁６２２は、互いに対向して配置されている。
【００９２】
第５の実施形態の移動端末との違いは、第１のシェル６２０が第４側周壁６２４を更に含むということにある。第４側周壁６２４は、第１側周壁６２１と第２側周壁６２２との間に接続されている。第１側周壁６２１、第２側周壁６２２、第３側周壁６２３および第４側周壁６２４の末端辺は同一平面上にあり、かつ同一水平面上に位置し、同時に表示画面６５０と接続されている。
【００９３】
第２のシェル６４０の端壁６４３の外部表面は、第１のシェル６２０の第４側周壁６２４の外部表面と同一平面上にある。
【００９４】
第６の実施形態によって提供される移動端末において言及されていないその他の特徴は、第５の実施形態と同様であり得るために、繰り返さない。
【００９５】
上記実施形態のそれぞれの技術的特徴は、自由に組み合わせてもよい。簡潔に記載するために、上記実施形態のそれぞれの技術的な特徴に関するすべての可能な組み合わせは記載していない。しかしながら、技術的特徴の組み合わせの中に不一致がない限りは、すべてが本明細書によって記録される範囲であると見なされるべきである。
【００９６】
上記の実施形態は、本開示のいくつかの実現方法を表現しているに過ぎず、明細書は具体的かつ詳細なものではあるものの、本開示の範囲に限定するものとして理解することはできない。当業者は、本開示の概念を逸脱することなく、更にいくつかの変更および改良を行うことが可能であり、すべてが本開示の保護の範囲に付随するということに留意されたい。従って、本開示の保護の範囲は、添付の特許請求の範囲に従うものとする。
【手続補正２】
【補正対象書類名】特許請求の範囲
【補正対象項目名】全文
【補正方法】変更
【補正の内容】
【特許請求の範囲】
【請求項１】
移動端末であって、前記移動端末は、
第１のシェル（１２０）、軸受部および第２のシェル（１４０）を含む背面ハウジング（１００）であって、前記軸受部が前記第１のシェル（１２０）から延在し、前記軸受部および前記第１のシェル（１２０）が受入空間を協働して画定し、前記第２のシェル（１４０）は、前記軸受部に摺動可能に配置され、第１の位置および第２の位置となるように、前記第１のシェル（１２０）に相対して移動可能であり、前記第１の位置では、前記第２のシェル（１４０）が前記受入空間を満たし、平坦にして、前記軸受部を取り囲み、前記第２の位置では、前記第２のシェル（１４０）が移動することにより、前記軸受部の少なくとも一部を露出する背面ハウジングと、
前記第１のシェル（１２０）と接続されている表示画面（１５０）と、
前記第２のシェル（１４０）に配置されるカメラ（１７０）であって、前記第１の位置では前記カメラ（１７０）の光入射面がブロックされ、前記第２の位置では前記カメラ（１７０）の前記光入射面が露出するカメラ（１７０）と、を含むことを特徴とする移動端末。
【請求項２】
前記第１のシェル（１２０）が、底壁（１２５）ならびに前記底壁（１２５）の２つの対向する辺から延在する第１側周壁（１２１）および第２側周壁（１２２）と、前記受入空間で形成される端面（１０２）と、直線または曲線である、前記底壁（１２５）の外部表面と前記端面（１０２）の交差線とを含む、請求項１に記載の移動端末。
【請求項３】
前記軸受部が、前記底壁（１２５）と接続されている基材（１１５）を含み、前記基材（１１５）の厚さが、前記底壁（１２５）の厚さよりも小さい、請求項２に記載の移動端末。
【請求項４】
前記第２のシェル（１４０）が、底板（１４５）、ならびに前記底壁（１２５）と接続される第１側壁（１４１）、第２側壁（１４２）および端壁（１４３）を含み、前記第１側壁（１４１）および前記第２側壁が、前記底板（１４５）の２つの対向する辺に配置され、前記端壁（１４３）が、前記第１側壁（１４１）と前記第２側壁（１４２）との間に接続され、前記底板（１４５）の一端に位置し、前記カメラ（１７０）が前記端壁（１４３）に配置され、前記第１側壁（１４１）の外部表面が、前記第１側周壁（１２１）の外部表面と同一平面上にあり、前記第２側壁（１４２）の外部表面が、前記第２側周壁（１２２）の外部表面と同一平面上にあり、前記第１の位置では、前記端壁（１４３）が位置する端に対向する前記底板（１４５）のもう一端は、前記端面（１０２）に対して当接しており、前記第２の位置では、前記底板（１４５）の前記もう一端は、前記端面（１０２）から隔てられる、請求項２または３に記載の移動端末。
【請求項５】
前記第１側周壁（１２１）および前記第２側周壁（１２２）の末端辺が前記表示画面（１５０）と接続されており、前記第２のシェル（１４０）の前記第１側壁（１４１）および前記第２側壁（１４２）の末端辺が、前記第１側周壁（１２１）および前記第２側周壁（１２２）の末端辺と同一平面上にあり、前記第１の位置で前記表示画面（１５０）を共同して支持している、請求項４に記載の移動端末。
【請求項６】
前記第１のシェル（１２０）が、第３側周壁（１２３）を更に含み、前記第３側周壁（１２３）は、前記第１側周壁（１２１）と前記第２側周壁（１２２）との間に接続され、前記第１側周壁（１２１）、前記第２側周壁（１２２）および前記第３側周壁（１２３）の末端辺が、前記表示画面（１５０）と接続されており、前記第３側周壁（１２３）には接続口が設けられている、請求項４に記載の移動端末。
【請求項７】
前記第１のシェル（１２０）が、前記第１側周壁（１２１）と前記第２側周壁（１２２）との間に接続される第４側周壁を更に含み、前記第１側周壁（１２１）、前記第２側周壁（１２２）および前記第４側周壁の末端辺が、前記表示画面（１５０）と接続されており、前記第１の位置では、前記第２のシェル（１４０）の前記端壁（１４３）の外部表面は、前記第４側周壁の外部表面と同一平面上にあり、前記第２の位置では、前記第２のシェルの前記端壁（１４３）は、前記第４側周壁と整列しない、請求項４に記載の移動端末。
【請求項８】
前記第２のシェル（１４０）が、底板（１４５）、ならびに前記底板（１４５）と接続される側壁および端壁（１４３）を含み、前記カメラ（１７０）が前記側壁に配置され、前記側壁および前記第２側周壁（１２２）が互いに対向して配置されており、前記第１の位置では、前記側壁の外部表面は、前記第１側周壁（１２１）の前記外部表面と同一平面上にあり、前記第２の位置では、前記側壁は前記第１側周壁（１２１）と整列せず、前記カメラ（１７０）の前記光入射面を露出する、請求項２または３に記載の移動端末。
【請求項９】
前記底板（１４５）の前記外部表面に配置される別のカメラ（１７１）を更に含む、請求項４〜８のいずれか一項に記載の移動端末。
【請求項１０】
前記軸受部に配置された別のカメラ（１７１）を更に含み、前記第２のシェル（１４０）の前記底板（１４５）には貫通孔が設けられ、前記別のカメラ（１７１）が前記貫通孔から露出している、請求項４〜８のいずれか一項に記載の移動端末。
【請求項１１】
前記軸受部に配置された別のカメラ（１７１）を更に含み、前記第２のシェル（１４０）の前記底板（１４５）には貫通孔が設けられ、前記別のカメラ（１７１）が前記貫通孔から露出しており、前記貫通孔が、前記底板（１４５）の前記もう一端を貫通している、請求項４〜７のいずれか一項に記載の移動端末。
【請求項１２】
機能ボタン（１２７）を更に含み、前記機能ボタン（１２７）が前記第２のシェル（１４０）の前記第１側壁（１４１）および前記第２側壁（１４２）の少なくとも一方に配置される、請求項４〜７のいずれか一項に記載の移動端末。
【請求項１３】
モーター（１８０）を更に含み、前記モーター（１８０）の出力軸にはギア（１８１）が設けられ、かつ前記第２のシェル（１４０）にはラック（１４８）が設けられており、前記モーター（１８０）が動作することにより、前記第２のシェル（１４０）を前記第１のシェル（１２０）に相対して摺動するように駆動するといった方法で、前記ラック（１４８）および前記ギア（１８１）が協働する、請求項１〜１２のいずれか一項に記載の移動端末。
【請求項１４】
前記第２のシェル（１４０）には磁気片（１４９）が設けられ、前記第１のシェル（１２０）には電磁石（１２９）が設けられており、前記第２のシェル（１４０）が前記第１の位置と前記第２の位置との間で変位することが可能となるように、前記電磁石（１２９）の極性を変化させることによって、前記第２のシェル（１４０）の前記磁気片（１４９）に引力または斥力を生じさせる、請求項１〜１２のいずれか一項に記載の移動端末。
【請求項１５】
前記第１のシェル（１２０）に配置された歯車対（１８２）およびネジ棒（１８３）と、前記第２のシェル（１４０）と接続されている伝達棒（１８４）と、前記伝達棒（１８４）に配置された伝達ピン（１８５）とを更に含み、前記ネジ棒（１８３）には、前記伝達ピン（１８５）と協働する螺旋溝（１８７）が設けられており、前記歯車対（１８２）が前記ネジ棒（１８３）を回転状態に駆動し、その結果前記伝達ピン（１８５）が前記螺旋溝（１８７）に沿って移動し、これにより前記第２のシェル（１４０）が前記第１の位置と前記第２の位置との間で変位することができる、請求項１〜１２のいずれか一項に記載の移動端末。
【国際調査報告】
2021510972.tif 000038
2021510972.tif 000039